(57)【要約】【課題】遊技機、その遊技盤及び制御装置において、制御装置を構成する複数の制御ユニットの各シールド板のうち少なくとも二つのシールド板を相互に電気的に接続することで、静電気の放電による電磁ノイズに対するシールド性をより一層高めるようにすることを目的とする。【解決手段】主制御ユニット１００のシールド板１０１及び主制御回路１０４は配線板１０３にアースされ、払い出し制御ユニット５０ｂのシールド板５１及び払い出し制御回路５４は配線板５３にアースされている。また、両配線板１０３、５３は、電源ユニット７０の配線板７２を介し大地にアースされている。ここで、シールド板１０１は配線Ｌｓを介しシールド板５１に電気的に接続されている。【選択図】　　図７
2004041316.tif 000002
【特許請求の範囲】
【請求項１】
制御回路及びシールド部材をそれぞれ有する複数の制御ユニットを備えてなる遊技機において、
前記複数の制御ユニットの各シールド部材のうち少なくとも二つのシールド部材は、相互に電気的に接続されており、かつ大地にアース可能となっていることを特徴とする遊技機。
【請求項２】
帯電可能な遊技媒体を貯留する貯留タンクと、
制御回路及びシールド部材をそれぞれ有する複数の制御ユニットと、
前記貯留タンクから延出する媒体通路と、
前記貯留タンク内に前記媒体通路を通し連通されて前記貯留タンクから前記遊技媒体を前記媒体通路を通し払い出される受け皿とを備えて、
前記貯留タンク及び前記媒体通路の少なくとも一方は、その少なくとも一部にて、導電部を有するようにした遊技機において、
前記複数の制御ユニットの各シールド部材のうち少なくとも一つのシールド部材及び前記導電部は、相互に電気的に接続されており、かつ大地にアース可能となっていることを特徴とする遊技機。
【請求項３】
商用電源を介し大地にアースされる電源回路を有する電源ユニットを備えて、
前記複数の制御ユニットは、その制御ユニット毎に、対応の前記シールド部材にて、対応の前記制御回路及び前記電源回路に負側電源線を介し電気的に接続されている請求項１或いは２に記載の遊技機。
【請求項４】
請求項１に記載の遊技機において、その所定箇所に、前記複数の制御ユニットのうち少なくとも二つの制御ユニットが並べて取り付けられる取り付け部材を備えて、
前記少なくとも二つの制御ユニットは、前記取り付け部材への前記取り付けに伴い、その各シールド部材の対向部にて、前記相互の電気的接続を確保するように互いに連結されることを特徴とする遊技機。
【請求項５】
請求項１に記載の遊技機において、その所定箇所に、前記複数の制御ユニットのうち少なくとも二つの制御ユニットが並べて取り付けられる取り付け部材を備え、
また、商用電源を介し大地にアースされる電源回路を有する電源ユニットを備えて、
前記複数の制御ユニットは、その制御ユニット毎に、対応の前記シールド部材にて、対応の前記制御回路及び前記電源回路に負側電源線を介し電気的に接続されており、
前記少なくとも二つの制御ユニットは、前記取り付け部材への前記取り付けに伴い、その各シールド部材の対向部にて、前記相互の電気的接続を確保するように互いに連結されることを特徴とする遊技機。
【請求項６】
請求項１に記載の遊技機において、その所定箇所に設けられて前記複数の制御ユニットのうち少なくとも二つの制御ユニットを並べて取り付ける取り付け部材と、この取り付け部材に備えてなる長手状導電部材とを備えて、
前記少なくとも二つの制御ユニットは、前記取り付け部材への前記取り付けに伴い、その各シールド部材の前記導電部材側の端部にて、前記相互の電気的接続を確保するように前記導電部材に連結されることを特徴とする遊技機。
【請求項７】
請求項１に記載の遊技機において、その所定箇所に、前記複数の制御ユニットのうち少なくとも二つの制御ユニットが並べて取り付けられる取り付け部材と、この取り付け部材に備えてなる長手状導電部材とを備え、
また、商用電源を介し大地にアースされる電源回路を有する電源ユニットを備えて、
前記複数の制御ユニットは、その制御ユニット毎に、対応の前記シールド部材にて、対応の前記制御回路及び前記電源回路に負側電源線を介し電気的に接続されており、
前記少なくとも二つの制御ユニットは、前記取り付け部材への前記取り付けに伴い、その各シールド部材の前記導電部材側の端部にて、前記相互の電気的接続を確保するように前記導電部材に連結されることを特徴とする遊技機。
【請求項８】
遊技盤本体、この遊技盤本体の背面に突設した制御ボックス及びこの制御ボックスの背面に設けた複数の制御ユニットを有し、大地にアース可能な配線板を有してなる電源手段を設けた遊技機に備えられる遊技盤であって、
前記複数の制御ユニットは、その制御ユニット毎に、
前記制御ボックスの背面に設けた導電性シールド部材と、このシールド部材にその背面側にて並行に設けた配線板と、この配線板に設けた制御回路とを備えて、
各対応の前記シールド部材及び前記制御回路にて対応の前記配線板にアースされており、さらに前記対応の配線板にて負側電源線を介し前記電源手段の配線板にアース可能となっており、
前記複数のシールド部材のうち少なくとも二つのシールド部材は相互に電気的に接続されている遊技機用遊技盤。
【請求項９】
前記複数の制御ユニットは、その制御ユニット毎に、前記対応の前記シールド部材を介し前記制御ボックスの背面に取り付けられる電気絶縁性壁部材を備えて、前記対応の前記配線板にて、対応の前記壁部材に前記対応の前記シールド部材を介し併設されており、
前記少なくとも二つのシールド部材は、各対応の前記壁部材の前記取り付けに伴い、その各対向部にて、前記相互の電気的接続を確保するように互いに分離可能に連結されることを特徴とする請求項８に記載の遊技機用遊技盤。
【請求項１０】
前記制御ボックスの背面に前記少なくとも二つのシールド部材に亘りその各同一側にてこれらシールド部材に並行に設けた長手状導電部材を備え、
前記複数の制御ユニットは、その制御ユニット毎に、前記対応の前記シールド部材を介し前記制御ボックスの背面に取り付けられる電気絶縁性壁部材を備えて、前記対応の前記配線板にて、対応の前記壁部材に前記対応の前記シールド部材を介し併設されており、
前記少なくとも二つのシールド部材は、各対応の前記壁部材の前記取り付けに伴い、その前記導電部材側の各端部にて、前記相互の電気的接続を確保するように当該導電部材に分離可能に連結されることを特徴とする請求項８に記載の遊技機用遊技盤。
【請求項１１】
複数の制御ユニットを備えて遊技機に電源手段と共に設けられる制御装置であって、
前記電源手段は、大地にアース可能な配線板を備え、
前記複数の制御ユニットは、その制御ユニット毎に、
導電性シールド部材と、このシールド部材に並行に設けられる配線板と、この配線板に設けた制御回路とを備えて、
各対応の前記シールド部材及び前記制御回路にて対応の前記配線板にアースされ、さらに前記対応の前記配線板にて負側電源線を介し前記電源手段の配線板にアース可能となっており、
前記各シールド部材のうち少なくとも二つのシールド部材は相互に電気的に接続されている遊技機用制御装置。
【発明の詳細な説明】
【０００１】
【発明の属する技術分野】
本発明は、遊技機、その遊技盤及び制御装置に関するものである。
【０００２】
【従来の技術】
従来、遊技機の一つにパチンコ機がある。このパチンコ機は、パチンコ機本体と、このパチンコ機本体に着脱可能に組み付けられる遊技盤とを備えている。パチンコ機本体は、枠体に電源ユニット及び複数の制御ユニット等を設けて構成され、遊技盤は、遊技盤本体に複数の制御ユニット等を設けて構成されている。
【０００３】
【発明が解決しようとする課題】
ところで、上記構成のパチンコ機は、通常、パチンコホールにおいて、複数の島に分かれて各島毎に複数ずつ配列される。そして、当該パチンコホールでは、島毎に、島設備から供給される多数のパチンコ球は、パチンコ機毎に、貯留タンクに貯留され、その後、当該貯留タンクからその下側に位置する誘導樋に誘導され、さらに、上下方向に延在する案内経路を通り受け皿へ案内されていく。
【０００４】
このようなパチンコ球の貯留タンクへの貯留過程、誘導樋の誘導過程や案内経路の案内過程においては、各パチンコ球が、例えば相互に摩擦接触して静電誘導により帯電して静電気を発生し、この発生後に、相互に接触や衝突をしたり貯留タンク、誘導樋や案内経路の内壁と接触したりして静電気の放電を起こし、この放電の瞬間に広い周波数帯域に亘る電磁ノイズを発生する。このような電磁ノイズは、各制御ユニットに侵入していたずらし当該各制御ユニットの誤動作を招く主要な原因となっている。
【０００５】
例えば、制御ユニットが払い出し制御ユニットである場合、この払い出し制御ユニットが上記静電気の放電による電磁ノイズの侵入でもって誤動作して、賞球を、不必要に多い数でもって、払い出す事態が発生してしまうことがある。
【０００６】
上述のようなことを防止するために、当該各制御ユニットの配線板にその裏面側から金属製シールド板をそれぞれ併設し、各シールド板に侵入する電磁ノイズを、例えば、当該各シールド板及び電源ユニットの配線板のアースを通して大地に逃がすことで、各制御ユニットの電磁ノイズに対するシールド性を高めようとしている。
【０００７】
しかし、上述のような静電気の放電による電磁ノイズは、強い電磁界のもとで発生するため、当該電磁ノイズはピークレベルの高いインパルス状或いはスパイク状のノイズである。このようなノイズは、制御ユニットに単にシールド板を併設するのみでは、シールドしきれず、制御ユニットに侵入してしまい、上記誤動作を防止できない。
【０００８】
これに対し、本発明者等はパチンコ機における静電気の放電による電磁ノイズにつき種々検討を加えてみたところ、以下のような現象に気が付いた。即ち、上記静電気の放電による電磁ノイズの発生は、放電の瞬間に起きるから、当該電磁ノイズは、主に、その発生位置に近く位置する制御ユニットのシールド板に侵入し易い。
【０００９】
ここで、パチンコ機において、貯留タンク、誘導樋及び案内経路が、例えば、遊技盤の各制御ユニット及びパチンコ機本体の各制御ユニットに沿って位置している場合、電磁ノイズは貯留タンク、誘導樋及び案内経路で発生することから、当該電磁ノイズは、その発生位置に近い制御ユニットのシールド板に主に侵入し易い。
【００１０】
このような現象のもとでは、一シールド板に侵入する電磁ノイズを、当該シールド板のみならず他のシールド板にも流入させれば、電磁ノイズのピークレベルを大幅に低減できることが分かった。
【００１１】
また、電磁ノイズが互いに隣接する両シールド板の双方に侵入したり或いは電磁ノイズが両シールド板の一方に侵入するのにあわせて他の電磁ノイズが他のシールド板に侵入することが起きても、これら両シールド板にそれぞれ侵入する電磁ノイズを当該両シールド板の双方に流入させるようにすれば、同様に電磁ノイズのピークレベルを大幅に低減できることも分かった。
【００１２】
そこで、本発明は、以上のようなことに対処するため、遊技機、その遊技盤及び制御装置において、制御装置を構成する複数の制御ユニットの各シールド部材のうち少なくとも二つのシールド部材を相互に電気的に接続することで、静電気の放電で発生する電磁ノイズに対するシールド性をより一層高めることを目的とする。
【００１３】
また、本発明は、遊技機、その遊技盤及び制御装置において、制御装置を構成する複数の制御ユニットの各シールド部材のうち少なくとも１つのシールド部材と貯留タンク及び媒体通路のうち少なくとも一方にてその少なくとも一部に有する導電部とを相互に電気的に接続することで、静電気の放電で発生する電磁ノイズに対するシールド性をより一層高めることを目的とする。
【００１４】
【課題を解決するための手段】
上記課題の解決にあたり、本発明に係る遊技機は、請求項１の記載によれば、制御回路（５４、６４、１０４、１１４）及びシールド部材（５１、６１、１０１、１０１Ａ、１０１Ｂ、１１１、１１１Ａ、１１１Ｂ、１４１、１５１）をそれぞれ有する複数の制御ユニット（５０ｂ、６０ａ、１００、１００Ａ、１００Ｂ、１１０、１１０Ａ、１１０Ｂ、１４０、１５０）を備えている。
【００１５】
当該遊技機において、複数の制御ユニットの各シールド部材のうち少なくとも二つのシールド部材は、相互に電気的に接続されており、かつ大地にアース可能となっていることを特徴とする。
【００１６】
このような構成の遊技機は、上記少なくとも二つのシールド部材にて大地にアースされた状態で使用される。ここで、大地へのアースは、当該少なくとも二つのシールド部材が、当該遊技機の電源回路を介し大地にアースされる場合、当該電源回路及び商用電源を介し大地にアースされる場合のほか、大地に直接アースされる場合を含む。
【００１７】
このようなアースのもと、帯電した複数の遊技球等の遊技媒体が遊技機の内外で例えば相互に衝突等することで静電気の放電により発生する電磁ノイズが上記少なくとも二つのシールド部材の少なくともいずれかに侵入すると、当該少なくとも二つのシールド部材は上述のように相互に電気的に接続されていることから、当該電磁ノイズは上記少なくとも二つのシールド部材に分流して各ノイズ分として流入する。そして、このように上記少なくとも二つのシールド部材の各に流入する各ノイズ分は、スパイク状或いはインパルス状にて、大地に流入する一方、各対応の制御回路に流入しようとする。
【００１８】
ここで、上述のように電磁ノイズが上記少なくとも二つのシールド部材に分流されることにより、各ノイズ分のピークレベルは、一シールド部材のみに流入する電磁ノイズのピークレベルに比べて大幅に低減され得る。このことは、上記少なくとも二つのシールド部材の各の電磁ノイズに対するシールド効果が大幅に向上することを意味する。従って、このようにピークレベルを大幅に低減された各ノイズ分が上述のように各対応の制御回路に流入しても、各制御回路は、当該各ノイズ分の影響を受けて暴走等の誤作動をすることなく正常に作動し得る。
【００１９】
なお、上述した少なくとも二つのシールド部材の相互の電気的接続は、例えば、上記少なくとも二つのシールド部材の低インピーダンスの配線（Ｌｓ）を介する接続で行ってもよく、上記少なくとも二つのシールド部材の相互の連結で行ってもよい。
【００２０】
また、本発明に係る遊技機は、請求項２の記載によれば、
帯電可能な遊技媒体を貯留する貯留タンク（３０）と、
制御回路（５４、６４、１０４、１１４）及びシールド部材（５１、６１、１０１、１０１Ａ、１０１Ｂ、１１１、１１１Ａ、１１１Ｂ、１４１、１５１）をそれぞれ有する複数の制御ユニット（５０ｂ、６０ａ、１００、１００Ａ、１００Ｂ、１１０、１１０Ａ、１１０Ｂ、１４０、１５０）と、
貯留タンクから延出する媒体通路（４０ａ、４０ｂ）と、
貯留タンク内に媒体通路を通し連通されて貯留タンクから遊技媒体を媒体通路を通し払い出される受け皿（Ｄｕ）とを備えて、
貯留タンク及び媒体通路の少なくとも一方は、その少なくとも一部にて、導電部（３０、４１、４２）を有する。
【００２１】
当該遊技機において、複数の制御ユニットの各シールド部材のうち少なくとも一つのシールド部材及び導電部は、相互に電気的に接続されており、かつ大地にアース可能となっていることを特徴とする。
【００２２】
このような構成の遊技機は、上記少なくとも一つのシールド部材及び導電部にて大地にアースされた状態で使用される。ここで、大地へのアースは、当該少なくとも一つのシールド部材及び導電部が、当該遊技機の電源回路を介し大地にアースされる場合、当該電源回路及び商用電源を介し大地にアースされる場合のほか、大地に直接アースされる場合を含む。
【００２３】
このようなアースのもと、帯電した複数の遊技球等の遊技媒体が、貯留タンクに貯留される過程や媒体通路内の移動過程で例えば相互に衝突等することで静電気の放電により発生する電磁ノイズが上記少なくとも一つのシールド部材に侵入すると、当該少なくとも一つのシールド部材及び導電部は上述のように相互に電気的に接続されていることから、当該電磁ノイズは上記少なくとも一つのシールド部材及び導電部に分流して各ノイズ分として流入する。そして、このように上記少なくとも一つのシールド部材に流入するノイズ分は、スパイク状或いはインパルス状にて、大地に流入する一方、対応の制御回路に流入しようとする。
【００２４】
ここで、上述のように電磁ノイズが上記少なくとも一つのシールド部材及び導電部に分流されることにより、当該シールド部材に流入するノイズ分のピークレベルは、一シールド部材のみに流入する電磁ノイズのピークレベルに比べて大幅に低減され得る。
【００２５】
このように、請求項１に記載の発明とは異なり、貯留タンク及び媒体通路の少なくとも一方の導電部を利用して、当該導電部と上記少なくとも一つのシールド部材とを相互に電気的に接続することによっても、請求項１に記載の発明と実質的に同様の作用効果を達成できる。
【００２６】
また、本発明は、請求項３の記載によれば、請求項１或いは２に記載の遊技機において、商用電源（ＥＳ）を介し大地にアースされる電源回路（７３）を有する電源ユニット（７０）を備えて、
複数の制御ユニットは、その制御ユニット毎に、対応のシールド部材にて、対応の制御回路及び電源回路に負側電源線（Ｌ３、Ｌ５、Ｌ８）を介し電気的に接続されている。
【００２７】
これによれば、請求項１に記載の発明において少なくとも二つのシールド部材の各に流入する各ノイズ分或いは請求項２に記載の発明において少なくとも一つのシールド部材に流入するノイズ分は、負側電源線、電源回路及び商用電源を通り大地に流入する一方、対応の制御回路に負側電源線を通り流入しようとする。
【００２８】
このような場合にも、請求項１或いは２に記載の発明と同様に上記少なくとも二つのシールド部材の各に流入する各ノイズ分或いは上記少なくとも一つのシールド部材に流入するノイズ分のピークレベルが大幅に低減され得る。その結果、請求項３に記載の発明においても、請求項１或いは２に記載の発明と実質的に同様の作用効果を達成できる。
【００２９】
また、本発明は、請求項４の記載によれば、請求項１に記載の遊技機において、その所定箇所に、複数の制御ユニットのうち少なくとも二つの制御ユニットが並べて取り付けられる取り付け部材（９０、９１、９１ａ、２０）を備えて、
上記少なくとも二つの制御ユニットは、取り付け部材への上記取り付けに伴い、その各シールド部材の対向部にて、上記相互の電気的接続を確保するように互いに連結されることを特徴とする。
【００３０】
これによれば、上記少なくとも二つの制御ユニットの取り付け部材への上記取り付けに伴い、各シールド部材は、その対向部にて、互いに連結されることで、上記相互の電気的接続を確保する。換言すれば、上記各シールド部材の上記相互の電気的接続は、上記少なくとも二つの制御ユニットを上述のように取り付け部材に取り付けることで簡単に確保され得るので、上記各シールド部材の相互の電気的接続を別途行う必要がない。
【００３１】
また、本発明は、請求項５の記載によれば、請求項１に記載の遊技機において、その所定箇所に、複数の制御ユニットのうち少なくとも二つの制御ユニットが並べて取り付けられる取り付け部材（９０、９１、９１ａ、２０）を備え、
また、商用電源（ＥＳ）を介し大地にアースされる電源回路（７３）を有する電源ユニット（７０）を備えて、
複数の制御ユニットは、その制御ユニット毎に、対応のシールド部材にて、対応の制御回路及び電源回路に負側電源線（Ｌ３、Ｌ５、Ｌ８）を介し電気的に接続されており、
上記少なくとも二つの制御ユニットは、取り付け部材への上記取り付けに伴い、その各シールド部材の対向部にて、上記相互の電気的接続を確保するように互いに結されることを特徴とする。
【００３２】
これによれば、請求項１に記載の発明において少なくとも二つのシールド部材の各に流入する各ノイズ分は、負側電源線、電源回路及び商用電源を通り大地に流入する一方、対応の制御回路に負側電源線を通り流入しようとする。この場合にも、請求項１に記載の発明と同様に上記少なくとも二つのシールド部材の各に流入する各ノイズ分のピークレベルが大幅に低減され得る。また、上記各シールド部材の上記相互の電気的接続は、上記少なくとも二つの制御ユニットを上述のように取り付け部材に取り付けることで簡単に確保され得る。その結果、本請求項５に記載の発明によれば、各請求項１及び４に記載の発明の作用効果を相乗的に達成できる。
【００３３】
また、本発明は、請求項６の記載によれば、請求項１に記載の遊技機において、
その所定箇所に設けられて複数の制御ユニットのうち少なくとも二つの制御ユニットを並べて取り付ける取り付け部材（９０、９１、９１ａ、２０）と、この取り付け部材に備えてなる長手状導電部材（１７０）とを備えて、
上記少なくとも二つの制御ユニットは、取り付け部材への上記取り付けに伴い、その各シールド部材の導電部材側の端部（１４１ｂ、１５１ｂ）にて、上記相互の電気的接続を確保するように導電部材に連結されることを特徴とする。
【００３４】
これによれば、上記少なくとも二つの制御ユニットの取り付け部材への上記取り付けに伴い、各シールド部材は、その端部にて、導電部材に連結されることで、当該導電部材を介し上記相互の電気的接続を確保する。換言すれば、上記各シールド部材の上記相互の電気的接続は、上記少なくとも二つの制御ユニットを上述のように取り付け部材に取り付けることで、導電部材を介し簡単に確保され得るので、上記各シールド部材の相互の電気的接続を別途行う必要がない。
【００３５】
また、本発明は、請求項７の記載によれば、請求項１に記載の遊技機において、
その所定箇所に、複数の制御ユニットのうち少なくとも二つの制御ユニットが並べて取り付けられる取り付け部材（９０、９１、９１ａ、２０）と、この取り付け部材に備えてなる長手状導電部材（１７０）とを備え、
また、商用電源（ＥＳ）を介し大地にアースされる電源回路（７３）を有する電源ユニット（７０）を備えて、
複数の制御ユニットは、その制御ユニット毎に、対応のシールド部材にて、対応の制御回路及び電源回路に負側電源線（Ｌ３、Ｌ５、Ｌ８）を介し電気的に接続されており、
上記少なくとも二つの制御ユニットは、取り付け部材への上記取り付けに伴い、その各シールド部材の導電部材側の端部（１４１ｂ、１５１ｂ）にて、上記相互の電気的接続を確保するように導電部材に連結されることを特徴とする。
【００３６】
これによれば、請求項１に記載の発明において少なくとも二つのシールド部材の各に流入する各ノイズ分は、負側電源線、電源回路及び商用電源を通り大地に流入する一方、対応の制御回路に負側電源線を通り流入しようとする。この場合にも、請求項１に記載の発明と同様に上記少なくとも二つのシールド部材の各に流入する各ノイズ分のピークレベルが大幅に低減され得る。また、上記各シールド部材の上記相互の電気的接続は、上記少なくとも二つの制御ユニットを上述のように取り付け部材に取り付けることで、導電部材を介し簡単に確保され得る。その結果、本請求項７に記載の発明によれば、各請求項１及び６に記載の発明の作用効果を相乗的に達成できる。
【００３７】
また、本発明に係る遊技機用遊技盤は、請求項８の記載によれば、遊技盤本体（８０）、この遊技盤本体の背面に突設した制御ボックス（９０）及びこの制御ボックスの背面（９１ａ）に設けた複数の制御ユニット（１００、１００Ａ、１００Ｂ、１１０、１１０Ａ、１１０Ｂ、１４０、１５０）を有し、大地にアース可能な配線板（７２）を有してなる電源手段（７０、Ｔ）を設けた遊技機に備えられる。
【００３８】
当該遊技盤において、複数の制御ユニットは、その制御ユニット毎に、
制御ボックスの背面に設けた導電性シールド部材（１０１、１０１Ａ、１０１Ｂ、１１１、１１１Ａ、１１１Ｂ、１４１、１５１）と、このシールド部材にその背面側にて並行に設けた配線板（１０３、１１３）と、この配線板に設けた制御回路（１０４、１１４）とを備えて、
各対応のシールド部材及び制御回路にて対応の配線板にアースされており、さらに上記対応の配線板にて負側電源線（Ｌ３、Ｌ５、Ｌ８）を介し電源手段の配線板にアース可能となっており、
複数のシールド部材のうち少なくとも二つのシールド部材は相互に電気的に接続されている。
【００３９】
このように、遊技機用遊技盤の複数の制御ユニットにおいて複数のシールド部材のうち少なくとも二つのシールド部材を相互に電気的に接続することで、請求項１に記載の発明の作用効果を達成できる遊技機に採用するに適した遊技盤の提供が可能となる。この場合、遊技盤は、通常、メインテナンス等にあたり遊技機において交換可能な構成要素であることから、本請求項８に記載の発明を適用した遊技盤を一体で交換できて便利である。
【００４０】
また、本発明は、請求項９の記載によれば、請求項８に記載の遊技機用遊技盤において、複数の制御ユニットは、その制御ユニット毎に、上記対応のシールド部材を介し制御ボックスの背面に取り付けられる電気絶縁性壁部材（１０２ａ、１１２ａ、１４２ａ、１５２ａ）を備えて、上記対応の配線板にて、対応の壁部材に上記対応のシールド部材を介し併設されており、
上記少なくとも二つのシールド部材は、各対応の壁部材の上記取り付けに伴い、その各対向部にて、上記相互の電気的接続を確保するように互いに分離可能に連結されることを特徴とする。
【００４１】
このように構成することにより、請求項８に記載の発明の作用効果を達成できるのは勿論のこと、上記少なくとも二つのシールド部材の上記相互の電気的接続は、各対応の壁部材の制御ボックスへの取り付けでもって簡単に達成され得るので、上記少なくとも二つのシールド部材の相互の電気的接続を、別途、行う必要がない。なお、上記相互の電気的接続を確保するにあたり、上記少なくとも二つのシールド部材の各対向部は互いに分離可能に連結されるので、本請求項９に記載の発明を適用した遊技盤のメインテナンスにあたり、上記少なくとも二つのシールド部材を備えた各制御ユニットを制御ボックスから簡単に分離できて便利である。
【００４２】
また、本発明は、請求項１０の記載によれば、請求項８に記載の遊技機用遊技盤において、制御ボックスの背面に上記少なくとも二つのシールド部材に亘りその各同一側にてこれらシールド部材に並行に設けた長手状導電部材（１７０）を備え、
複数の制御ユニットは、その制御ユニット毎に、上記対応のシールド部材を介し制御ボックスの背面に取り付けられる電気絶縁性壁部材（１０２ａ、１１２ａ、１４２ａ、１５２ａ）を備えて、上記対応の配線板にて、対応の前記壁部材に上記対応のシールド部材を介し併設されており、
上記少なくとも二つのシールド部材は、各対応の壁部材の上記取り付けに伴い、その導電部材側の各端部（１４１ｂ、１５１ｂ）にて、上記相互の電気的接続を確保するように当該導電部材に分離可能に連結されることを特徴とする。
【００４３】
このように構成することにより、請求項８に記載の発明の作用効果を達成できるのは勿論のこと、上記少なくとも二つのシールド部材の上記相互の電気的接続は、各対応の壁部材の制御ボックスへの上述のような取り付けでもって簡単に達成され得るので、上記少なくとも二つのシールド部材の相互の電気的接続を、別途、行う必要がない。なお、上記相互の電気的接続を確保するにあたり、上記少なくとも二つのシールド部材の各端部は導電部材に分離可能に連結されるので、本請求項１０に記載の発明を適用した遊技盤のメインテナンスにあたり、上記少なくとも二つのシールド部材を備えた各制御ユニットを簡単に制御ボックスから分離できて便利である。
【００４４】
また、本発明に係る遊技機用制御装置は、請求項１１の記載によれば、複数の制御ユニット（５０ｂ、６０ａ、１００、１００Ａ、１００Ｂ、１１０、１１０Ａ、１１０Ｂ、１４０、１５０）を備えて遊技機に電源手段（７０、Ｔ）と共に設けられる。
【００４５】
当該制御装置において、電源手段は、大地にアースされる配線板（７２）を備え、
複数の制御ユニットは、その制御ユニット毎に、
導電性シールド部材（５１、６１、１０１、１０１Ａ、１０１Ｂ、１１１、１１１Ａ、１１１Ｂ、１４１、１５１）と、このシールド部材に並行に設けられる配線板（５３、６３、１０３、１１３）と、この配線板に設けた制御回路（５４、６４、１０４、１１４）とを備えて、
各対応のシールド部材及び制御回路にて対応の配線板にアースされ、さらに上記対応の配線板にて負側電源線（Ｌ３、Ｌ５、Ｌ８）を介し電源手段の配線板にアース可能となっており、
各シールド部材のうち少なくとも二つのシールド部材は相互に電気的に接続されている。
【００４６】
このような構成により、請求項１に記載の発明と同様の作用効果を達成できる遊技機に採用するに適した制御装置の提供が可能となる。
【００４７】
なお、各請求項３及び５に記載の発明において、制御ユニット毎に、負側電源線のうち制御回路側電源線部分に電磁ノイズ阻止用ローパスフィルタ手段（Ｆ１、Ｆ２）を挿入接続し、或いは請求項８乃至１１に記載の各発明において、制御ユニット毎に、負側電源線のうち制御回路の配線板とのアース側電源線部分に電磁ノイズ阻止用ローパスフィルタ手段（Ｆ１、Ｆ２）を挿入接続すれば、当該ローパスフィルタ手段により対応の制御回路への電磁ノイズの侵入を阻止でき、その結果、各請求項３及び５に記載の発明或いは請求項８乃至請求項１１に記載の各発明の作用効果をより一層向上し得る。
【００４８】
また、請求項１乃至７に記載の発明につき具体例を挙げれば、第１に、請求項１に記載の遊技機は、
環状枠体（Ｗ）と、この枠体内に設けた環状セット板（２０）並びにこのセット板の背面に設けた電源ユニット（７０）及び複数の制御ユニット（５０ｂ、６０ａ）を有する裏セット構造体（Ｕ）とを備える遊技機本体（Ｂ）と、
セット板の開口部（２８）に着脱可能に設けられる遊技盤本体（８０）と、この遊技盤本体からその背面側へセット板の開口部に対応するように突設した制御ボックス（９０）及びこの制御ボックスの背面（９１ａ）に設けた複数の制御ユニット（１００、１００Ａ、１００Ｂ、１１０、１１０Ａ、１１０Ｂ、１４０、１５０）を備える遊技盤（Ｐ）とを備えるものであってもよい。
【００４９】
当該遊技機において、電源ユニットは、大地に直接アース可能或いは商用電源を介し大地にアース可能な配線板（７２）を備える。
【００５０】
また、遊技盤の複数の制御ユニットは、その制御ユニット毎に、
制御ボックスの背面に設けた導電性シールド板（１０１、１０１Ａ、１０１Ｂ、１１１、１１１Ａ、１１１Ｂ、１４１、１５１）と、このシールド板にその背面側にて並行に設けた配線板（１０３、１１３）と、この配線板に設けた制御回路（１０４、１１４）とを備える。
【００５１】
また、裏セット構造体の複数の制御ユニットは、その制御ユニット毎に、セット板の背面に設けた導電性シールド板（５１、６１）と、このシールド板の背面に並行に位置する配線板（５３、６３）と、この配線板に設けた制御回路（５４、６４）とを備える。
【００５２】
ここで、遊技盤及び裏セット構造体の各複数の制御ユニットは、その制御ユニット毎に、各対応のシールド板及び制御回路にて共に対応の配線板にアースされており、さらに上記対応の配線板にて負側電源線（Ｌ３、Ｌ５、Ｌ８）を介し電源ユニットの配線板にアース可能となっている。そして、各シールド板のうち少なくとも二つのシールド板は相互に電気的に接続されている。
【００５３】
これによれば、制御ユニット毎において、対応の配線板が負側電源線を介し電源手段の配線板にアースされると、各対応のシールド板及び制御回路は、上記対応の配線板、負側電源線及び電源ユニットの配線板を通して大地にアースされる。また、上述のように各シールド板のうち少なくとも二つのシールド板は相互に電気的に接続されている。
【００５４】
このような構成において、帯電した複数の帯電可能な遊技球等の遊技媒体が遊技機の内外で例えば相互に衝突等することで静電気の放電により発生する電磁ノイズが、上記少なくとも二つのシールド板のいずれかに侵入すると、当該電磁ノイズは上記少なくとも二つのシールド板に分流して各ノイズ分として流入する。
【００５５】
このようにして各シールド板に流入する各ノイズ分は、スパイク状或いはインパルス状にて、各対応の配線板、負側電源線及び電源ユニットの配線板を通して大地に流入する一方、各負側電源線を介し各対応の制御回路に流入しようとする。
【００５６】
上述のように電磁ノイズが各対応のシールド板に分流されることから、各ノイズ分のピークレベルは、一シールド板のみに流入する電磁ノイズのピークレベルに比べ大幅に低減され得る。
【００５７】
第２に、請求項１に記載の遊技機において、遊技盤の複数の制御ユニットは、その制御ユニット毎に、上記対応のシールド板を介し制御ボックスの背面に着脱可能にかつ移動不能に取り付けられる電気絶縁性ボックス（１０２、１１２、１４２、１５２）を備えて、上記対応の配線板にて、対応のボックス内においてその上記対応のシールド板側の壁（１０２ａ、１１２ａ、１４２ａ、１５２ａ）に当該シールド板を介し併設されていてもよい。
【００５８】
ここで、遊技盤の少なくとも二つのシールド板は、各対応のボックスの制御ボックスの背面への上記取り付けに伴い、その各対向部にて、上記相互の電気的接続を確保するように互いに分離可能に連結される。
【００５９】
また、第３に、上記第１或いは第２の遊技機の構成において、裏セット構造体の複数の制御ユニットは、その制御ユニット毎に、上記対応のシールド板を介しセット板の背面に着脱可能にかつ移動不能に取り付けられる電気絶縁性ボックス（５２、６２）を備えて、上記対応の配線板にて、対応のボックス内にてその上記対応のシールド板側の壁（５２ａ、６２ａ）に当該シールド板を介し併設されていてもよい。ここで、裏セット構造体の少なくとも二つのシールド板は、各対応のボックスの制御ボックスの背面への上記取り付けに伴い、その各対向部にて、上記相互の電気的接続を確保するように互いに分離可能に連結されている。
【００６０】
第４に、上記第１の遊技機において、制御ボックスの背面に遊技盤の少なくとも二つのシールド板に亘りその各同一側にてこれらシールド板に並行に設けた長手状導電部材（１７０）を備え、
遊技盤の複数の制御ユニットは、その制御ユニット毎に、制御ボックスの背面に上記対応のシールド板を介し着脱可能にかつ移動不能に取り付けられる電気絶縁性ボックス（１４２、１５２）を備えて、上記対応の配線板にて、対応のボックス内においてその上記対応のシールド板側の壁（１４２ａ、１５２ａ）に当該シールド板を介し併設されている。
【００６１】
ここで、遊技盤の少なくとも二つのシールド板は、各対応のボックスの制御ボックスの背面への上記取り付けに伴い、その導電部材側の各端部（１４１ｂ、１５１ｂ）にて、上記相互の電気的接続を確保するように当該導電部材に分離可能に連結される。
【００６２】
また、第５に、上記第１或いは第４の遊技機において、セット板の背面に裏セット構造体の少なくとも二つのシールド板に亘りその各同一側にてこれらシールド板に並行に設けた長手状導電部材（１７０）を備え、
裏セット構造体の複数の制御ユニットは、その制御ユニット毎に、上記対応のシールド板を介しセット板の背面に着脱可能にかつ移動不能に取り付けられるボックス（１４２、１５２）を備えて、上記対応の配線板にて、対応のボックス内にてその上記対応のシールド板側の壁（１４２ａ、１５２ａ）に当該シールド板を介し併設されていてもよい。
【００６３】
ここで、裏セット構造体の少なくとも二つのシールド板は、各対応のボックスのセット板の背面への上記取り付けに伴い、その導電部材側の各端部（１４１ｂ、１５１ｂ）にて当該導電部材に、上記相互の電気的接続を確保するように分離可能に連結される。
【００６４】
また、第６に、請求項２に記載の遊技機は、受け皿（Ｄｕ）を有する環状枠体（Ｗ）と、この枠体内に設けた環状セット板（２０）並びにこのセット板の背面に設けられて帯電可能な遊技媒体を貯留する貯留タンク（３０）、この貯留タンクから受け皿に遊技媒体を払い出すように貯留タンクと受け皿とを連通させる媒体通路（４０ａ、４０ｂ）、電源ユニット（７０）及び複数の制御ユニット（５０ｂ、６０ａ）を有する裏セット構造体（Ｕ）とを備え、貯留タンク及び媒体通路の少なくとも一方の少なくとも一部にて導電部（４１、４２）を有する遊技機本体（Ｂ）と、
セット板の開口部（２８）に着脱可能に設けられる遊技盤本体（８０）と、この遊技盤本体からその背面側へセット板の開口部に対応するように突設した制御ボックス（９０）及びこの制御ボックスの背面（９１ａ）に設けた複数の制御ユニット（１００、１００Ａ、１００Ｂ、１１０、１１０Ａ、１１０Ｂ、１４０、１５０）を備える遊技盤（Ｐ）とを備えていてもよい。
【００６５】
当該遊技機において、電源ユニットは、大地にアース可能な配線板（７２）を備え、貯留タンクは電源ユニットの配線板にアースされている。
【００６６】
また、遊技盤の複数の制御ユニットは、その制御ユニット毎に、制御ボックスの背面に設けた導電性シールド板（１０１、１０１Ａ、１０１Ｂ、１１１、１１１Ａ、１１１Ｂ、１４１、１５１）と、このシールド板にその背面側にて並行に設けた配線板（１０３、１１３）と、この配線板に設けた制御回路（１０４、１１４）とを備える。
【００６７】
また、裏セット構造体の複数の制御ユニットは、その制御ユニット毎に、セット板の背面に設けた導電性シールド板（５１、６１）と、このシールド板にその背面側にて並行に位置する配線板（５３、６３）と、この配線板に設けた制御回路（５４、６４）とを備える。
【００６８】
ここで、遊技盤及び裏セット構造体の各複数の制御ユニットは、その制御ユニット毎に、対応のシールド板及び制御回路にて対応の配線板にアースされており、さらに上記対応の配線板にて負側電源線（Ｌ３、Ｌ５、Ｌ８）を介し電源手段の配線板にアース可能となっており、
各シールド板のうち少なくとも１つのシールド板と貯留タンクとは相互に電気的に接続されている。また、以上第１乃至第６の遊技機の構成において、シールド板を、器状或いは箱状の導電性シールド部材とする場合には、当該シールド板に対応する配線板を当該シールド部材内にてその底壁（シールド板に対応する）に併設し、当該配線板に対応する制御回路を当該シールド部材内にて当該配線板に併設する。
【００６９】
なお、上記各手段の括弧内の符号は、後述する実施形態に記載の具体的手段との対応関係を示すものである。
【００７０】
【発明の実施の形態】
以下、本発明の各実施形態を図面に基づいて説明する。
（第１実施形態）
図１乃至図７は、本発明がパチンコ機に適用された第１実施形態を示している。このパチンコ機は、図１及び図２にて示すごとく、パチンコ機本体Ｂと、遊技盤Ｐとを備えている。パチンコ機本体Ｂは、環状枠体Ｗと、裏セット構造体Ｕとを備えている。環状枠体Ｗは、図１及び図２にて示すごとく、ガラス枠Ｗ１、内枠Ｗ２及び外枠Ｗ３を備えており、ガラス枠Ｗ１は、内枠Ｗ２にその前面側から併設されている。内枠Ｗ２は、その図１にて図示右端部にて、外枠Ｗ３の右端部にその前面側からヒンジ連結されている。なお、当該パチンコ機は、パチンコ機本体Ｂの図１にて図示上部及び下部を上下に位置させるように立設して使用される。
【００７１】
裏セット構造体Ｕは、環状セット板２０、長手状貯留タンク３０、長手状誘導樋４０ａ及び長手状案内経路４０ｂを備えている。セット板２０は、その図１にて図示右端部にて、内枠Ｗ２と外枠Ｗ３との間に介在して、当該内枠Ｗ２にその右端部側にヒンジ連結されている。貯留タンク３０は、その側壁にて、セット板２０の上部にその背面側から図１にて示すごとく装着されており、この貯留タンク３０は、その上端開口部３１を通し、対応の島設備から多数の金属製パチンコ球を常時満杯となるように供給されて貯留する。
【００７２】
誘導樋４０ａは、貯留タンク３０の底壁の下側にてこれに沿うように図１にて示すごとくセット板２０の背面に傾斜状に装着されており、この誘導樋４０ａは、貯留タンク３０内の多数のパチンコ球を当該貯留タンク３０の排出口から数個ずつ共に排出されて図１にて図示右方へ誘導する。また、案内経路４０ｂは、セット板２０の図１にて図示右端部に沿いその背面側から上下方向に装着されており、この案内経路４０ｂは、球払い出し制御装置５０による制御のもと、誘導樋４０ａにより誘導されるパチンコ球を、下方に向けて案内する。
【００７３】
また、裏セット構造体Ｕは、図１にて示すごとく、球払い出し制御装置５０を備えており、この球払い出し制御装置５０は、払い出しモータ５０ａと、払い出し制御ユニット５０ｂとを備えている。払い出しモータ５０ａは、当該案内経路４０ｂの上下方向中間部位内にてセット板２０に支持されている。払い出し制御ユニット５０ｂは、図１及び図３にて示すごとく、セット板２０の図示右側下部にその背面側から取り付けられている。この払い出し制御ユニット５０ｂは、図３及び図４から分かるように、銅やアルミニウム等の金属や導電性樹脂等からなる四角形状の導電性シールド板５１と、直方体形状の電気絶縁樹脂製ボックス５２と、配線板５３と、払い出し制御回路５４とを備えている。
【００７４】
シールド板５１は、セット板２０の図１にて図示下部に形成した断面コ字状凹所２１（図３及び図４の拡大図参照）の右側部内に収容されており、このシールド板５１の板厚は、凹所２１の深さに等しい。
【００７５】
ボックス５２は、その底壁５２ａにて、シールド板５１及びセット板２０の凹所２１の右側近傍部上に位置しており、このボックス５２は、その下側フランジ５２ｂにて、セット板２０の背面において凹所２１の右側部下端近傍に形成した断面コ字状収容部２２内にその上端開口部から収容されている。また、ボックス５２は、その上側フランジ５２ｃにて、セット板２０の背面に設けた左右両側Ｌ字状支持部材２３ａ、２３ｂの間に図３にて示すごとく挟支され、かつＬ字状止め具２４によりセット板２０の背面に固定されている。これにより、ボックス５２は、シールド板５１を介しセット板２０にその背面から移動不能に併設されている。
【００７６】
なお、Ｌ字状の左右両側支持部材２３ａ、２３ｂは、上側フランジ５２ｃを左右から挟支するように、互いに対向してセット板２０にその背面側から固着されている。また、Ｌ字状止め具２４は、左右両支持部材２３ａ、２３ｂ間の中間位置にて、セット板２０の背面にピン２４ａにより回動可能に支持されている。
【００７７】
配線板５３は、ボックス５２内にてその底壁５２ａに併設されており、この配線板５３は、払い出し制御回路５４との接続用配線（電源線部、アース線部及び複数の信号線部を含む）をプリント基板の表面に印刷して構成されている。払い出し制御回路５４は、配線板５３の表面に配設されて上記配線に電気的に接続されている。ここで、払い出し制御回路５４の電源端子、アース端子及び複数の信号端子は、配線板５３の上記電源線部、アース線部及び複数の信号線部にそれぞれ接続されている。
【００７８】
このように構成した球払い出し制御装置５０は、誘導樋４０ａから案内経路４０ｂ内に誘導されるパチンコ球を、後述する主制御ユニット１００による制御のもと、払い出し制御回路５４により所定の賞球払い出し条件その他条件に基づき払い出しモータ５０ａを駆動制御してパチンコ球の上皿Ｄｕ内への払い出しを行う。
【００７９】
また、裏セット構造体Ｕは、図１乃至図４にて示すごとく、球発射制御装置６０を備えており、この球発射制御装置６０は、発射制御ユニット６０ａと、発射モータ６０ｂとを備えている。発射制御ユニット６０ａは、セット板２０にその背面側から払い出し制御ユニット５０ｂの左側に隣接して取り付けられている。この発射制御ユニット６０ａは、図３及び図４から分かるように、シールド板５１と同様の形成材料からなる四角形状のシールド板６１と、直方体形状の電気絶縁樹脂製ボックス６２と、配線板６３と、発射制御回路６４とを備えている。
【００８０】
シールド板６１は、セット板２０の断面コ字状凹所２１の深さに等しい板厚でもって形成されており、このシールド板６１は、シールド板５１の左側に位置するように、セット板２０の断面コ字状凹所２１の左側部内に収容されている。
【００８１】
ボックス６２は、その底壁６２ａにて、シールド板６１及びセット板２０の凹所２１の左側近傍部上に位置されており、このボックス６２は、その下側フランジ６２ｂにて、セット板２０の背面において凹所２１の左側部下端近傍に形成した断面コ字状収容部２５内にその上端開口部から収容されている。また、ボックス６２は、その上側フランジ６２ｃにて、セット板２０の背面に設けた左右両Ｌ字状支持部材２６ａ、２６ｂの間に挟支され、かつＬ字状止め具２７によりセット板２０の背面に固定されている。これにより、ボックス６２は、シールド板６１を介しセット板２０にその背面から移動不能に併設されている。
【００８２】
なお、左右両Ｌ字状支持部材２６ａ、２６ｂは、上側フランジ６２ｃを左右から挟支するように、互いに対向してセット板２０にその背面側から固着されている。また、Ｌ字状止め具２７は、左右両支持部材２６ａ、２６ｂ間の中間位置にて、セット板２０の背面にピン２７ａにより回動可能に支持されている。
【００８３】
配線板６３は、ボックス６２内にてその底壁６２ａに併設されており、この配線板６３は、発射制御回路６４との接続用配線（電源線部、アース線部及び複数の信号線部を含む）をプリント基板の表面に印刷して構成されている。発射制御回路６４は、配線板６３の表面に配設されて上記配線に電気的に接続されている。ここで、発射制御回路６４の電源端子、アース端子及び複数の信号端子は、配線板６３の上記電源線部、アース線部及び複数の信号線部にそれぞれ接続されている。
【００８４】
しかして、発射制御ユニット６０ａは、操作ハンドルＨの操作に伴う主制御ユニット１００による制御のもと、発射制御回路６４により発射モータ６０ｂを駆動制御して、上皿Ｄｄからのパチンコ球を発射する。
【００８５】
また、裏セット構造体Ｕは、図１にて示すごとく、電源ユニット７０を備えている。この電源ユニット７０は、直方体形状の電気絶縁樹脂製ボックス７１と、配線板７２と、電源回路７３とを備えており、ボックス７１は、その底壁にて、セット板２０の図示右側上端隅角部にその背面から取り付けられている。
【００８６】
配線板７２は、ボックス７１内にてその底壁に併設されており、この配線板７２は、電源回路７３との接続用配線（電源線部及びアース線部を含む）をプリント基板の表面に印刷して構成されている。ここで、電源回路７３の電源端子及びアース端子は、配線板７２の上記電源線部及びアース線部に接続されている。しかして、電源ユニット７０は、交流電圧２４Ｖ（後述する）を例えば２４Ｖの直流電圧に変換する。
【００８７】
遊技盤Ｐは、遊技盤本体８０と、この遊技盤本体８０にその背面側から設けた制御ボックス９０とを備えている。遊技盤本体８０は、その表面側（前面側）から遊技領域の中央部に液晶パネル部を設けて構成されており、この遊技盤本体８０は、環状枠体Ｗの開口部と環状セット板２０の開口部２８との間に挟支されて、上記遊技領域にて、枠体Ｗの開口部を通して前方を臨んでいる。なお、上記遊技領域には、複数の入賞装置、複数のランプや両スピーカが配設されている。
【００８８】
制御ボックス９０は、遊技盤本体８０の背面からセット板２０の開口部２８を通りその背面側へ延出しており、この制御ボックス９０は、直方体形状の電気絶縁樹脂製ボックス９１と、このボックス９１内に設けた上記液晶パネル部の制御回路等が収容されている。
【００８９】
また、遊技盤Ｐは、図１及び図５にて示すごとく、主制御ユニット１００と、音・ランプ制御ユニット１１０とを備えており、これら主制御ユニット１００及び音・ランプ制御ユニット１１０は、制御ボックス９０のボックス９１の底壁９１ａにその背面側から左右に間隔をおいて配設されている。
【００９０】
主制御ユニット１００は、図５及び図６から分かるように、シールド板５１と同様の形成材料からなる四角形状のシールド板１０１と、直方体形状の電気絶縁樹脂製ボックス１０２と、配線板１０３と、主制御回路１０４とを備えている。シールド板１０１は、ボックス９１の底壁９１ａにその背面側から形成した断面コ字状凹所９１ｂの右側部内に収容されている。本実施形態では、シールド板１０１は、凹所９１ｂの深さに等しい板厚にて、シールド板５１と同様の形成材料でもって形成されている。
【００９１】
ボックス１０２は、その底壁１０２ａにて、シールド板１０１及びボックス９１の底壁９１ａのうち凹所９１ｂの右側近傍部上に位置されており、このボックス１０２の下側フランジ１０２ｂは、底壁９１ａの背面において凹所９１ｂの右側部下端近傍に形成した断面コ字状収容部９１ｃ内にその上端開口部から収容されている。また、ボックス１０２の上側フランジ１０２ｃは、底壁９１ａの背面に設けた左右両Ｌ字状支持部材９１ｄ、９１ｅの間に挟支され、かつＬ字状止め具９１ｆにより底壁９１ａの背面に固定されている。これにより、ボックス１０２は、シールド板１０１を介してボックス９１の底壁９１ａにその背面側から移動不能に併設されている。
【００９２】
なお、左右両Ｌ字状支持部材９１ｄ、９１ｅは、上側フランジ１０２ｃを左右から挟支するように、互いに対向してセット板２０にその背面側から固着されている。また、Ｌ字状止め具９１ｆは、左右両支持部材９１ｄ、９１ｅ間の中間位置にて、底壁９１ａの背面にピン９１ｇにより回動可能に支持されている。
【００９３】
配線板１０３は、ボックス１０２内にてその底壁１０２ａに併設されており、この配線板１０３は、主制御回路１０４との接続用配線（電源線部、アース線部及び複数の信号線部を含む）をプリント基板の表面に印刷して構成されている。主制御回路１０４は、配線板１０３の表面に配設されて上記配線に電気的に接続されている。ここで、主制御回路１０４の電源端子、アース端子及び複数の信号端子は、配線板１０３の上記電源線部、アース線部及び複数の信号線部に接続されている。
【００９４】
このように構成した主制御ユニット１００は、払い出し制御ユニット５０ｂ、発射制御ユニット６０ａ、音・ランプ制御ユニット１１０や制御ボックス９０内の制御回路等を制御する。
【００９５】
音・ランプ制御ユニット１１０は、図５及び図６から分かるように、シールド板５１と同様の形成材料からなる四角形状のシールド板１１１と、直方体形状の電気絶縁樹脂製ボックス１１２と、配線板１１３と、音・ランプ制御回路１１４とを備えている。シールド板１１１は、凹所９１ｂの深さに等しい板厚のもので、ボックス９１の凹所９１ｂの左側部内に収容されている。
【００９６】
ボックス１１２は、その底壁１１２ａにて、シールド板１１１及びボックス９１の底壁９１ａの凹所９１ｂの左側近傍部上に位置しており、このボックス１１２の下側フランジ１１２ｂは、底壁９１ａの背面において凹所９１ｂの左側部下端近傍に形成した断面コ字状収容部９１ｈ内にその上端開口部から収容されている。また、ボックス１１２の上側フランジ１１２ｃは、底壁９１ａの背面に設けた左右両Ｌ字状支持部材９１ｉ、９１ｊの間に挟支され、かつＬ字状止め具９１ｋにより底壁９１ａの背面に固定されている。これにより、ボックス１１２は、シールド板１１１を介してボックス９１の底壁９１ａに対し移動不能に併設されている。
【００９７】
なお、左右両Ｌ字状支持部材９１ｉ、９１ｊは、上側フランジ１１２ｃを左右から挟支するように、互いに対向してセット板２０にその背面側から固着されている。また、Ｌ字状止め具９１ｋは、左右両支持部材９１ｉ、９１ｊ間の中間位置にて、底壁９１ａの背面にピン９１ｍにより回動可能に支持されている。
【００９８】
配線板１１３は、ボックス１１２内にてその底壁１１２ａに併設されており、この配線板１１３は、音・ランプ制御回路１１４との接続用配線（電源線部、アース線部及び複数の信号線部を含む）をプリント基板の表面に印刷して構成されている。音・ランプ制御回路１１４は、配線板１１３の表面に配設されて上記配線に電気的に接続されている。ここで、音・ランプ制御回路１１４の電源端子、アース端子及び複数の信号端子は、配線板１１３の上記電源線部、アース線部及び複数の信号線部に接続されている。このように構成した音・ランプ制御ユニット１１０は、主制御ユニット１００による制御のもと、上記スピーカやランプの制御を行う。
【００９９】
なお、下皿Ｄｄは、上皿Ｄｕの下側に位置するように、当該上皿Ｄｕと共にパチンコ機本体の下部に設けられて、上皿Ｄｄで溢れたパチンコ球を貯留する。また、本第１実施形態において、主制御ユニット１００、音・ランプ制御ユニット１１０、払い出し制御ユニット５０ｂ及び発射制御ユニット６０ａ、制御ボックス９０内の制御回路等は、それぞれＣＰＵを主たる構成素子として有し、当該パチンコ機の制御装置に含まれる。
【０１００】
次に、当該パチンコ機の電気接続系統について説明する。電源ユニット７０において、配線板７２は、そのアース線部にて、大地にアース（図７にて符号Ｇｓ参照）されている。また、当該配線板７２は、そのアース線部にて、変圧器Ｔの２次側コイルＴ２の負側端子に負側電源線Ｌ１を介し接続されており、この配線板７２の電源線部は、正側電源線Ｌ２を介し、変圧器Ｔの２次コイルＴ２の正側端子に接続されている。また、変圧器Ｔは、その１次側コイルＴ１の負側端子にて、商用交流電源ＥＳの負側端子に接続されている。
【０１０１】
本第１実施形態では、変圧器Ｔは当該パチンコ機を設置したパチンコホール内の適所に設けられており、この変圧器Ｔは、交流電源ＥＳから印加される１００Ｖの交流電圧を２４Ｖの交流電圧に変換し、この交流電圧を２次側コイルＴ２から負側電源線Ｌ１及び正側電源線Ｌ２を介し配線板７２に印加する。なお、変圧器Ｔの１次側コイルＴ１及び２次側コイルＴ２は、電位的には、大地から浮いた状態にある。また、商用交流電源ＥＳの負側端子（図７にて図示下側端子）は、大地に接地（図示しない）されている。
【０１０２】
主制御ユニット１００において、主制御回路１０４は、上述のごとく、そのアース端子（図７にて符号１０４ａ参照）にて、配線板１０３のアース線部に接続されている。これにより、主制御回路１０４は、配線板１０３にアースされている（図７にて符号Ｇ１参照）。
【０１０３】
配線板１０３は、そのアース線部にて、主制御ユニット用負側電源線Ｌ３を介し電源ユニット７０の配線板７２のアース線部に接続されており、この配線板１０３の電源線部は、主制御ユニット用正側電源線Ｌ４を介し電源ユニット７０の配線板７２の電源線部に接続されている。これにより、主制御回路１０４は、電源回路７３の直流電圧を、配線板７２、正負両側電源線Ｌ４、Ｌ３及び配線板１０３を介し印加されて作動する。本第１実施形態では、シールド板１０１は、負側電源線Ｌ３の中間部位（図７にて符号ａ参照）に接続されて、主制御回路１０４のアース端子１０４ａ及び両配線板１０３、７２の各アース線部と共に同一の基準電位を維持する。
【０１０４】
また、払い出し制御ユニット５０ｂにおいては、払い出し制御回路５４が、上述のごとく、そのアース端子（図７にて符号５４ａ参照）にて、配線板５３のアース線部に接続されている。これにより、払い出し制御回路５４は配線板５３にアースされている（図７にて符号Ｇ２参照）。
【０１０５】
配線板５３は、そのアース線部にて、払い出し制御ユニット用負側電源線Ｌ５を介し負側電源線Ｌ３の中間部位に接続されており、この配線板５３の電源線部は、払い出し制御ユニット用正側電源線Ｌ６を介し正側電源線Ｌ４の中間部位に接続されている。これにより、払い出し制御回路５４は、電源回路７３の直流電圧を、配線板７２、負側電源線Ｌ３、Ｌ５及び正側電源線Ｌ４、Ｌ６並びに配線板５３を介し印加されて作動する。
【０１０６】
また、シールド板５１は、配線Ｌｓにより、シールド板１０１に接続されている。この配線Ｌｓは、シールド板１０１への侵入により当該シールド板１０１に流入する電磁ノイズをシールド板５１にも流入させる役割を果たす。ここで、配線Ｌｓのインピーダンスは、両シールド板１０１、５１の外形寸法及び形成材料が同一であることを前提としたとき、当該両シールド板１０１、５１に電磁ノイズの直流成分及び周波数成分をほぼ均等に損失なく分流させるように低く設定されている。
【０１０７】
また、シールド板５１は、負側電源線Ｌ５の中間部位（図７にて符号ｂ参照）に接続されて、払い出し制御回路５４のアース端子５４ａ及び両配線板５３、７２の各アース線部と共に同一の基準電位を維持する。なお、その他の音・ランプ制御ユニット１１０及び発射制御ユニット６０ａ等の制御ユニットも、他の負側電源線及び正側電源線（図示しない）により、払い出し制御ユニット５３と同様に、電源ユニット７０と主制御ユニット１１０との間の負側電源線Ｌ３及び正側電源線Ｌ４に接続されている。
【０１０８】
以上のように構成した本第１実施形態において、当該パチンコ機が、多数、パチンコホールにおいて、複数の島状に分かれて配列されているものとする。ここで、変圧器Ｔは、交流電源ＥＳから１００Ｖの交流電圧を受けてこの交流電圧を２４Ｖの交流電圧に変換している。以下、多数のパチンコ機のうち図１のパチンコ機を例にとりその作動を説明する。
【０１０９】
当該パチンコ機の電源ユニット７０において、電源回路７３が、変圧器Ｔから２４Ｖの交流電圧を受けて２４Ｖの直流電圧に変換すると、この直流電圧は、正負両側電源線Ｌ４、Ｌ３及び主制御ユニット１００の配線板１０３を介し主制御回路１０４に印加され、また、正負両側電源線Ｌ４、Ｌ３、正負両側電源線Ｌ６、Ｌ５及び払い出し制御ユニット５３の配線板５３を介し払い出し制御回路５４に印加される。これにより、主制御回路１０４及び払い出し制御回路５４回路が作動状態におかれる。当該パチンコ機のその他の回路も同様である。
【０１１０】
このような状態において、パチンコ球が当該パチンコ機に対応する島設備から当該パチンコ機の貯留タンク３０内に供給されると、当該パチンコ球は、貯留タンク３０を満杯にするように貯留される。このとき、上皿Ｄｕ内には、球払い出し制御装置５０による制御のもと、貯留タンク３０の排出口から排出されて誘導樋４０ａ及び案内経路４０ｂを通り払い出されているものとする。
【０１１１】
しかして、操作ハンドルＨの操作に基づく球発射制御装置６０の制御により、上皿Ｄｕ内のパチンコ球が遊技盤本体８０の遊技領域に順次打ち出されると、貯留タンク３０内のパチンコ球が上述と同様に上皿Ｄｄ内に払い出される。また、上記打ち出しに伴い、例えば、パチンコ球が上記遊技領域の入賞装置に入賞すると、貯留タンク３０内のパチンコ球が入賞条件を満たす数だけ上皿Ｄｄ内に払い出される。
【０１１２】
ところで、以上のようなパチンコ球の貯留タンク３０への貯留過程、誘導樋４０ａによる誘導過程、案内経路４０ｂによる案内過程では、各パチンコ球が、例えば相互に摩擦接触して静電誘導により帯電して静電気を発生する。この発生後に、帯電した各パチンコ球は、相互に衝突したり貯留タンク３０、誘導樋４０ａや案内経路４０ｂの内壁と接触したりして、静電気を放電させ、この放電の瞬間に広い周波数帯域に亘る電磁ノイズを発生する。
【０１１３】
ここで、貯留タンク３０内の各パチンコ球は、上述のように、貯留タンク３０の排出口から誘導樋４０ａ及び案内経路４０ｂを順次通り上皿Ｄｕに払い出される。また、上記電磁ノイズは静電気の放電の瞬間に発生する。従って、電磁ノイズは、貯留タンク３０への貯留過程、誘導樋４０ａの誘導過程及び案内経路４０ｂの案内過程の順で順次時間的に遅れて瞬間的に発生する。
【０１１４】
また、主制御ユニット１００は誘導樋４０ａの下流部直下にて案内経路４０ｂの上流部近傍に位置するから、上述のように発生する電磁ノイズのうち、パチンコ球に対する誘導樋４０ａの下流部の誘導過程及び案内経路４０ｂの上流部の案内過程で発生する電磁ノイズ（図７にて符号Ｎ参照）は、主として主制御ユニット１００に侵入する。
【０１１５】
また、誘導樋４０ａ及び案内経路４０ｂは、主制御ユニット１００のシールド板１０１よりも当該パチンコ機の前側に位置するため、上記誘導過程及び案内過程で発生する電磁ノイズは、シールド板１０１にその前面側から侵入する。また、シールド板１０１は、配線Ｌｓにより、払い出し制御ユニット１１０のシールド板１１１に電気的に接続されている。
【０１１６】
従って、シールド板１０１に侵入する電磁ノイズは、当該シールド板１０１に流入するとともに、配線Ｌｓを通りシールド板５１にも流入する。換言すれば、配線Ｌｓが低インピーダンスを有するから、上記誘導過程及び案内過程で発生してシールド板１０１に侵入する電磁ノイズは、両シールド板１０１、５１に良好に分流して流入する。
【０１１７】
しかして、シールド板１０１に侵入する電磁ノイズのうち当該シールド板１０１を流れるノイズ分は、スパイク状にて、負側電源線Ｌ３及び電源ユニット７０のシールド板７２のアース線部を通り大地に流入する一方、負側電源線Ｌ３の中間部位（図７にて符号ａ参照）から配線板１０３のアース線部を通り主制御回路１０４にそのアース端子１０４ａから流入しようとする。
【０１１８】
しかし、当該ノイズ分は、上述のように低インピーダンスの配線Ｌｓのもと電磁ノイズが両シールド板に良好に分流されることから、当該ノイズ分のピークレベルは、配線Ｌｓがないとした場合にシールド板１０１のみに流入する電磁ノイズのピークレベルに比べ大幅に低減される。このことは、シールド板１０１の電磁ノイズに対するシールド効果が大幅に向上することを意味する。従って、このように大幅に低減されたノイズ分が上述のように主制御回路１０４に流入しても、主制御回路１０４は、当該ノイズ分の影響を受けてＣＰＵの暴走等による誤動作をすることなく正常に作動し得る。
【０１１９】
ちなみに、図７の構成を有する本第１実施形態のパチンコ機及び図７において配線Ｌｓを廃止した構成を有する従来のパチンコ機の双方に、当該各パチンコ機の作動中において、パルス発生装置（図示しない）から発生する所定電圧のパルスを、温度等の環境条件の同一を前提に、所定回数だけ当該各パチンコ機にその所定部位から注入して、当該パルスの注入に起因して発生するノイズがシールド板１０１から負側電源線Ｌ３の中間部位ａを通り主制御回路１０４に流入することで、当該主制御回路１０４の暴走等の異常発生頻度を観測してみた。これによれば、図７の構成を有するパチンコ機の方が、図７において配線Ｌｓを廃止した構成を有する従来のパチンコ機に比べて、約１．４倍向上することが分かった。これにより、上述した本第１実施形態における配線Ｌｓで両シールド板１０１、５１を接続したことによるシールド効果が達成され得ることが確認できた。
【０１２０】
なお、上述のように、シールド板１０１に侵入する電磁ノイズのうちシールド板５１に分流するノイズ分は、負側電源線Ｌ５、負側電源線Ｌ３の一部及びシールド板７２のアース線部を通り大地に流入する一方、負側電源線Ｌ５を通り負側電源線Ｌ３の中間部位（図７にて符号ｂ参照）から配線板５１のアース線部を通り払い出し制御回路５４にそのアース端子５４ａから流入しようとするが、このノイズ分のピークレベルは、シールド板１０１を流れるノイズ分と同様に大幅に低減される。このことは、シールド板５１の電磁ノイズに対するシールド効果がシールド板１０１と同様に大幅に向上することを意味する。従って、払い出し制御回路５４は、当該ノイズ分の影響を受けて暴走等の誤動作をすることなく正常に作動し得る。
【０１２１】
また、本第１実施形態では、電源ユニット７０の配線板７２は上述のごとく大地にアースされているが、例えば、シールド板７２が大地へのアースの忘れにより、電位的に大地から浮いた状態にあるとしても、交流電源ＥＳの負側端子の大地へのアースは確保されており、変圧器Ｔの一次側及び２次側の各コイルが交流結合状態にあることから、負側電源線Ｌ３に流入するシールド板１０１からのノイズ分のうちその周波数成分は、シールド板７２のアース線部、負側電源線Ｌ１、変圧器Ｔ及び交流電源ＥＳの負側端子を通り大地に流入する。このことは、シールド板５１側でも同様である。従って、配線Ｌｓで両シールド板１０１、５１を接続することで得られる効果は、配線板７２が大地にアースされていなくても、実質的に同様に達成できる。
【０１２２】
ここで、主制御ユニット１００においては、まず、シールド板１０１が、ボックス９１の凹所９１ｂの右側部内に収容される。ついで、ボックス１０２が、その下側フランジ１０２ｂにて、ボックス９１の収容部９１ｃ内に収容されつつ、底壁１０２ａにて、シールド板１０１及びボックス９１の底壁９１ａのうち凹所９１ｂの右側近傍部上に位置するよう当接するとともに、上側フランジ１０２ｃにて、両支持部材９１ｄ、９１ｅの間に挟支されながら底壁９１ａのうち凹所９１ｂの上端近傍部上に止め具９１ｆにより固定される。これにより、主制御ユニット１００はボックス９１に着脱可能にかつ移動不能に簡単に取り付けられる。
【０１２３】
また、凹所９１ｂは断面コ字状に形成されており、シールド板１０１の板厚は凹所９１ｂの深さに等しいので、シールド板１０１は、ボックス１０２の底壁１０２ａと凹所９１ｂの底壁との間に移動不能に挟支され得る。その結果、主制御ユニット１００のシールド板１０１による電磁ノイズに対するシールド効果の向上がより一層良好になされ得る。
【０１２４】
また、払い出し制御ユニット５０ｂにおいては、まず、シールド板５１が、セット板２０の凹所２１の右側部内に収容される。ついで、ボックス５２が、その下側フランジ５２ｂにて、セット板２０の収容部２２内に収容されつつ、底壁５２ａにて、シールド板５１及びセット板２０のうち凹所２１の右側近傍部上に位置するよう当接するとともに、上側フランジ５２ｃにて、両支持部材２３ａ、２３ｂの間に挟支されながらセット板２０のうち凹所２１の上端近傍部上に止め具２４により固定される。これにより、払い出し制御ユニット５０ｂは、セット板２０に着脱可能にかつ移動不能に簡単に取り付けられる。
【０１２５】
また、凹所２１は断面コ字状に形成されており、シールド板５１の板厚は凹所２１の深さに等しいので、シールド板５１は、ボックス５２の底壁５２ａと凹所２１の底壁との間に移動不能に挟支され得る。その結果、払い出し制御ユニット５０ｂのシールド板５１による電磁ノイズに対するシールド効果の向上がより一層良好になされ得る。
【０１２６】
なお、音・ランプ制御ユニット１１０及び発射制御ユニット６０ａは、主制御ユニット１００と実質的に同様の構成を有するので、これら音・ランプ制御ユニット１１０及び発射制御ユニット６０ａのボックス９１及びセット板２０への各支持の効果も主制御ユニット１００の底壁９１ａへの支持の効果と実質的に同様である。
【０１２７】
また、本第１実施形態において、案内経路４０ｂの下流部で発生する電磁ノイズがシールド板５１に侵入するのにあわせて、誘導樋４０ａの下流部及び案内経路４０ｂの上流部で発生する電磁ノイズがシールド板１０１に侵入する場合には、両シールド板５１、１０１への各侵入電磁ノイズが、共に、配線Ｌｓを介し両シールド板５１、１０１に分流して流入する。これにより、シールド板１０１のみに電磁ノイズが侵入する場合と実質的に同様の作用効果を達成できる。
（第２実施形態）
図８及び図９は、本発明の第２実施形態の要部を示している。この第２実施形態では、上記第１実施形態において、主制御ユニット１００及び音・ランプ制御ユニット１１０に代えて、主制御ユニット１００Ａ及び音・ランプ制御ユニット１１０Ａを採用した構成となっている。
【０１２８】
主制御ユニット１００Ａは、主制御ユニット１００において、シールド板１０１に代えて、このシールド板１０１と同様の形成材料からなるシールド板１０１Ａを採用した構成となっている。このシールド板１０１Ａは、平板状板本体１０１ａと、フランジ１０１ｂとを備えており、板本体１０１ａは、ボックス９１の凹所９１ｂの右側部内に収容されている。また、フランジ１０１ｂは、図８及び図９から分かるように、板本体１０１ａの左端部のうちその幅方向中央部から左方に向け板本体１０１ａの板厚分だけ図９にて図示上側へ断面クランク状に延出している。
【０１２９】
音・ランプ制御ユニット１１０Ａは、音・ランプ制御ユニット１１０において、シールド板１１１に代えて、このシールド板１１１と同様の形成材料からなるシールド板１１１Ａを採用した構成となっている。このシールド板１１１Ａは、平板状板本体１１１ａと、フランジ１１１ｂとを備えており、板本体１１１ａは、ボックス９１の凹所９１ｂの左側部内に収容されている。フランジ１１１ｂは、図８及び図９にて示すごとく、板本体１１１ａの右端部のうちその幅方向中央部から右方に向け平板状に延出し、シールド板１１１Ａのフランジ１１１ｂとボックス９１の凹所９１ｂの底壁との間に介装されている。これにより、シールド板１１１Ａは、そのフランジ１１１ｂにて、シールド板１０１Ａのフランジ１０１ｂとボックス９１の凹所９１ｂの底壁との間に挟支されて、シールド板１０１Ａと電気的に接続されている。その他の構成は上記第１実施形態と同様である。
【０１３０】
このように構成した本第２実施形態では、主制御ユニット１００Ａ及び音・ランプ制御ユニット１１０Ａの制御ボックス９０への取り付けにあたっては、音・ランプ制御ユニット１１０Ａが制御ユニット１００Ａよりも先に取り付けられる。即ち、音・ランプ制御ユニット１１０Ａにおいて、シールド板１１１Ａが、ボックス９１の凹所９１ｂの左側部内に収容される。この収容は、シールド板１１１Ａの板本体１１１ａをフランジ１１１ｂの左側に位置させるようになされる。
【０１３１】
ついで、ボックス１１２が、上記第１実施形態にて述べたと同様に、ボックス９１の底壁９１ａに着脱可能にかつ移動不能に取り付けられる。
【０１３２】
上述のように音・ランプ制御ユニット１１０Ａの取り付けが終了した後、主制御ユニット１００Ａにおいて、シールド板１０１Ａが、ボックス９１の凹所９１ｂの右側部内に収容される。この収容は、シールド板１０１Ａのフランジ１０１ｂを、板本体１０１ａの左側に位置させかつシールド板１１１Ａのフランジ１１１ｂ上に重畳するようになされる。ついで、ボックス１０２が、上記第１実施形態にて述べたと同様にボックス９１の底壁９１ａに着脱可能にかつ移動不能に取り付けられる。
【０１３３】
以上のような音・ランプ制御ユニット１１０Ａの取り付け及びその後の主制御ユニット１００Ａの取り付けでもって、両シールド板１０１Ａ、１１１Ａは、その各フランジ１０１ｂ、１１１ｂにて、互いに分離可能に連結されて、相互の電気的接続を確保できる。これにより、両シールド板１０１Ａ、１１１Ａの相互の電気的接続が、音・ランプ制御ユニット１１０Ａ及び主制御ユニット１００Ａのボックス９１の底壁９１ａへの上記取り付けに伴い、配線Ｌｓのような電気的接続部材を別途必要とすることなく、簡単に達成できる。
【０１３４】
ここで、シールド板１１１Ａ、１０１Ａの各板厚は断面コ字状の凹所９１ｂの深さに等しいので、シールド板１１１Ａ、１０１Ａは、その各板本体にて、ボックス１１２、１０２の各底壁と凹所９１ｂの底壁との間に移動不能に挟支され得る。従って、両シールド板１０１Ａ、１１１Ａの電気的接続は良好に確保され得る。
【０１３５】
また、上述のような音・ランプ制御ユニット１１０Ａ及び主制御ユニット１００Ａの両取り付け後、島設備から多数の帯電したパチンコ球が貯留タンク３０に貯留される過程において、各パチンコ球は、相互の衝突等により静電気を放電して瞬間的に電磁ノイズ（図８にて符号Ｎ参照）を発生する。
【０１３６】
ここで、音・ランプ制御ユニット１１０Ａは、音・ランプ制御ユニット１１０と同様に貯留タンク３０の直下に位置する。また、貯留タンク３０は、シールド板１１１Ａよりも当該パチンコ機の前側に位置するため、上記貯留過程で発生する電磁ノイズは、シールド板１１１Ａにその前面側から侵入する。また、シールド板１１１Ａは、上述のごとく、シールド板１０１Ａに電気的に接続されている。
【０１３７】
従って、シールド板１１１Ａに侵入する電磁ノイズは、当該シールド板１１１Ａに流入するとともに、フランジ１１１ｂを通りシールド板１０１Ａにも流入する。換言すれば、上記貯留過程で発生してシールド板１１１Ａに侵入する電磁ノイズは、両シールド板１１１Ａ、１０１Ａに分流して流入する。
【０１３８】
しかして、シールド板１１１Ａに侵入した電磁ノイズのうち当該シールド板１１１Ａを流れるノイズ分は、当該シールド板１１１Ａに接続した音・ランプ制御ユニット用負側電源線（図示しない）の中間部位から配線板１１３のアース線部を通り音・ランプ制御回路１１４にそのアース端子から流入しようとする。しかし、シールド板１１１Ａに流入しようとするノイズ分は、電磁ノイズが上述のように両シールド板１１１Ａ、１０１Ａに分流されていること及び両フランジ１１１ｂ、１０１ｂはその形成材料に基づき低インピーダンスであることから、当該ノイズ分のピークレベルは、シールド板１１１Ａのみに流入する電磁ノイズのピークレベルに比べて大幅に低減される。従って、このように低減されたノイズ分が上述のように音・ランプ制御回路１１４に流入しても、音・ランプ制御回路１１４は、当該ノイズ分の影響を受けて誤動作することなく正常に作動し得る。
【０１３９】
ここで、遊技盤Ｐはパチンコ機本体Ｂに対し着脱可能となっていることから、主制御ユニット１００Ａ及び音・ランプ制御ユニット１１０Ａを有する遊技盤Ｐをそのまま一体にてメインテナンス等の際に交換できて便利である。
【０１４０】
なお、上述のようにシールド板１１１Ａに侵入する電磁ノイズのうちシールド板１０１Ａを流れるノイズ分は、主制御ユニット用負側電源線及び音・ランプ制御ユニット用負側電源線を通り配線板１０３のアース線部を通り主制御回路１０４にそのアース端子から流入しようとするが、当該ノイズ分のピークレベルも、シールド板１１１Ａを流れるノイズ分と同様に大幅に低減されるので、主制御回路１０４は、当該ノイズ分の影響を受けて誤動作することなく正常に作動し得る。
【０１４１】
また、本第２実施形態において、誘導樋４０ａの下流部及び案内経路４０ｂの上流部で発生する電磁ノイズがシールド板１０１Ａに侵入するのにあわせて、貯留タンク３０で発生する電磁ノイズがシールド板１１１Ａに侵入する場合には、両シールド板１０１Ａ、１１１Ａへの各侵入電磁ノイズが、共に、配線Ｌｓを介し両シールド板１０１Ａ、１１１Ａに分流して流入する。これにより、シールド板１１１Ａのみに電磁ノイズが侵入する場合と実質的に同様の作用効果を達成できる。
【０１４２】
なお、以上のような作用効果は、上記第１実施形態にて述べたように配線板７２が大地にアースされていなくても、同様に達成できる。
（第３実施形態）
図１０及び図１１は、本発明の第３実施形態の要部を示している。この第３実施形態では、上記第２実施形態において、主制御ユニット１００Ａ及び音・ランプ制御ユニット１１０Ａに代えて、主制御ユニット１００Ｂ及び音・ランプ制御ユニット１１０Ｂを採用し、かつ止め具１３０を付加的に採用した構成となっている。
【０１４３】
主制御ユニット１００Ｂは、主制御ユニット１００Ａにおいて、シールド板１０１Ａに代えて、このシールド板１０１Ａと同様の形成材料からなるシールド板１０１Ｂを採用した構成となっている。このシールド板１０１Ｂは、平板状板本体１０１ｃと、フランジ１０１ｄとを備えており、板本体１０１ｃは、ボックス９１の凹所９１ｂの右側部内に収容されている。フランジ１０１ｄは、図１０及び図１１にて示すごとく、板本体１０１ｃの左端部のうち幅方向中央部から左方に向け平板状に延出している。
【０１４４】
音・ランプ制御ユニット１１０Ｂは、音・ランプ制御ユニット１１０Ａにおいて、シールド板１１１Ａに代えて、このシールド板１１１Ａと同様の形成材料からなるシールド板１１１Ｂを採用した構成となっている。このシールド板１１１Ｂは、平板状板本体１１１ｃと、フランジ１１１ｄとを備えており、板本体１１１ｃは、ボックス９１の凹所９１ｂの左側部内に収容されている。
【０１４５】
フランジ１１１ｄは、図１０及び図１１にて示すごとく、板本体１０１ａの左端部のうち幅方向中央部から右方に向け平板状に延出している。これにより、シールド板１１１Ｂは、そのフランジ１１１ｄにて、所定間隔をおいて、シールド板１０１Ｂのフランジ１０１ｄに対向してこのフランジ１０１ｄと同一平面上に位置する。
【０１４６】
止め具１３０は、回動片１３１、ねじ１３２及び電気絶縁材料からなるボス１３３を備えており、ボス１３３は、図１１にて示すごとく、凹所９１ｂの底壁に両フランジ１０１ｄ、１１１ｄの間にて固着されている。回動片１３１は、その中央部にて、ねじ１３２により、ボス１３３の上端部に回動可能に支持されており、この回動片１３１は、その回動により、その両端部にて、両フランジ１０１ｄ、１１１ｄにその表面側から係合するようになっている。但し、回動片１３１は、シールド板１０１Ｂと同一の材料で形成されている。その他の構成は上記第２実施形態と同様である。
【０１４７】
このように構成した本第３実施形態においては、主制御ユニット１００Ｂ及び音・ランプ制御ユニット１１０Ｂの制御ボックス９０への取り付けは、次のように行う。なお、上記第２実施形態とは異なり、主制御ユニット１００Ｂ及び音・ランプ制御ユニット１１０Ｂの制御ボックス９０への取り付け順序は問わない。
【０１４８】
音・ランプ制御ユニット１１０Ｂにおいて、シールド板１１１Ｂが、ボックス９１の凹所９１ｂの左側部内に収容される。この収容は、シールド板１１１Ｂの板本体１１１ｃをフランジ１１１ｄの左側に位置させるようになされる。ついで、ボックス１１２が上記第２実施形態と同様にボックス９１の底壁９１ａに取り付けられる。
【０１４９】
また、主制御ユニット１００Ｂにおいて、シールド板１０１Ｂが、ボックス９１の凹所９１ｂの右側部内に収容される。この収容は、シールド板１０１Ｂのフランジ１０１ｄを、板本体１０１ｃの左側に位置させかつシールド板１１１Ｂのフランジ１１１ｄに止め具１３０の回動片１３１（図１０にて二点差線で示す）を介し対向させるようになされる。ついで、ボックス１０２が上記第２実施形態と同様にボックス９１の底壁９１ａに取り付けられる。
【０１５０】
このような取り付け後、止め具１３０の回動片１３１をねじ１３２を基準に回動させることで、当該回動片１３１によりその両端部にて両フランジ１０１ｄ、１１１ｄにその各表面側から係合する。これにより、両シールド板１００Ｂ、１１０Ｂが、各フランジ１０１ｄ、１１１ｄにて、回動片１３１により電気的に接続され得る。従って、本第３実施形態でも、上記第２実施形態にて述べたと同様に配線Ｌｓの採用が不要となる。
【０１５１】
ここで、回動片１３１は、両シールド板１０１Ｂ、１１１Ｂと同様に導電性材料で形成されており、この回動片１３１の両端部と凹所９１ｂの底壁との間にて、両フランジ１０１ｄ、１１１ｄが固く挟支されることから、回動片１３１を介する両シールド板１０１Ｂ、１１１Ｂの電気的接続は良好に確保され得る。
【０１５２】
よって、パチンコ球の貯留タンク３０への貯留過程で発生する電磁ノイズは、上記第２実施形態にて述べた両シールド板１０１Ａ、１１１Ａに代えて、両シールド板１０１Ｂ、１１１Ｂに分流して流れる。このため、本第３実施形態でも、上記第２実施形態と同様の作用効果を達成できる。
【０１５３】
なお、以上のような作用効果は、上記第１実施形態にて述べたように配線板７２が大地にアースされていなくても、同様に達成できる。
（第４実施形態）
図１２及び図１３は、本発明の第４実施形態の要部を示している。この第４実施形態では、上記第１実施形態において、主制御ユニット１００及び音・ランプ制御ユニット１１０に代えて、主制御ユニット１４０及び音・ランプ制御ユニット１５０を採用し、かつ止め具１６０及び導通板１７０を付加的に採用した構成となっている。また、本第４実施形態では、ボックス９１の底壁９１ａには、上記第１実施形態にて述べた凹所９１ｂに代えて両収容部９１ｐ、９１ｑが、図１３にて示すごとく、その各開口部を互いに対向させて、断面コ字状に突出形成されている。
【０１５４】
主制御ユニット１４０は、主制御ユニット１００において、シールド板１０１及びボックス１０２に代えて、シールド板１０１と同様の形成材料からなるシールド板１４１及びボックス１０２と同様の形成材料からなるボックス１４２を採用した構成となっている。シールド板１４１は、板本体１４１ａと、フランジ１４１ｂとを備えており、板本体１４１ａは、ボックス９１の底壁９１ａの右側部にその背面側から併設されている。フランジ１４１ｂは、板本体１４１ａの上端部から導通板１７０の板厚だけその表面側へかつ上方へ断面クランク状に延出している。
【０１５５】
ボックス１４２は、その底壁１４２ａにて、板本体１４１ａを介し底壁９１ａの右側部に併設されており、このボックス１４２の右側フランジ１４２ｂは、収容部９１ｐ内にその開口部から収容されている。これにより、当該フランジ１４２ｂは、シールド板１４１と収容部９１ｐの上壁との間で挟支されている。上記第１実施形態にて述べた配線板１０３は、ボックス１４２内にてその底壁１４２ａ上に併設されている。なお、フランジ１４２ｂは、底壁１４２ａの右端部から右方へ延出している。
【０１５６】
左側フランジ１４２ｃは、底壁１４２ａの左端部から左方へ右側フランジ１４２ｂと同一平面上にて延出して、図１２にて示すごとく、図示上下両Ｌ字状支持部材９１ｒ、９１ｓの間に挟支されている。なお、上下両支持部材９１ｒ、９１ｓは、左側フランジ１４２ｃを上下方向から挟支するように、互いに対向してボックス９１の底壁９１ａに固着されている。
【０１５７】
音・ランプ制御ユニット１５０は、音・ランプ制御ユニット１１０において、シールド板１１１及びボックス１１２に代えて、シールド板１１１と同様の形成材料からなるシールド板１５１及びボックス１１２と同様の形成材料からなるボックス１５２を採用した構成となっている。シールド板１５１は、板本体１５１ａと、フランジ１５１ｂとを備えており、板本体１５１ａは、ボックス９１の底壁９１ａの左側部にその背面側から併設されている。フランジ１５１ｂは、板本体１５１ａの上端部から導通板１７０の板厚だけその表面側へかつ上方へ断面クランク状に延出している。
【０１５８】
ボックス１５２は、その底壁１５２ａにて、板本体１５１ａを介し底壁９１ａの左側部に併設されており、このボックス１５２の左側フランジ１５２ｂは、収容部９１ｑ内にその開口部から収容されている。これにより、当該フランジ１５２ｂは、シールド板１５１と収容部９１ｑの上壁との間で挟支されている。上記第１実施形態にて述べた配線板１１３は、ボックス１５２内にてその底壁１５２ａ上に併設されている。なお、フランジ１５２ｂは、底壁１５２ａの左端部から左方へ延出している。
【０１５９】
右側フランジ１５２ｃは、底壁１５２ａの右端部から右方へ左側フランジ１５２ｂと同一平面上にて延出している。これにより、右側フランジ１５２ｃは、左側フランジ１４２ｃに対し間隔をおいて対向している。また、右側フランジ１５２ｃは、図１２にて示すごとく、図示上下両Ｌ字状支持部材９１ｔ、９１ｕの間に挟支されている。なお、上下両支持部材９１ｔ、９１ｕは、右側フランジ１５２ｃを上下方向から挟支するように、互いに対向してボックス９１の底壁９１ａに固着されている。
【０１６０】
止め具１６０は、回動片１６１、ボス１６２及びねじ１６３を備えており、ボス１６２は、図１２及び図１３にて示すごとく、ボックス９１の底壁９１ａに両フランジ１４２ｃ、１５２ｃの間にて固着されている。回動片１６１は、その中央部にて、ねじ１６３により、ボス１６２の上端部に回動可能に支持されており、この回動片１６１は、その回動により、その両端部にて、両フランジ１４２ｃ、１５２ｃにその表面側から係合するようになっている。
【０１６１】
導通板１７０は、両シールド板１４１、１５１と同様の形成材料からなるもので、この導通板１７０は、両ボックス１４２、１５２の直上にて、ボックス９１の底壁９１ａに水平状に装着されている。この導通板１７０の右側下部は、その表面側からシールド板１４１の断面クランク状フランジ１４１ｂにより係合されており、当該導通板１７０の左側下部は、その表面側からシールド板１５１の断面クランク状フランジ１５１ｂにより係合されている。これにより、両シールド板１４１、１５１は、その各フランジ１４１ｂ、１５１ｂにて、導通板１７０を介し電気的に接続されている。その他の構成は、上記第１実施形態と同様である。
【０１６２】
このように構成した本第４実施形態においては、主制御ユニット１４０及び音・ランプ制御ユニット１５０は、上述のように、ボックス９１の底壁９１ａに取り付けられる。また、両ボックス１４２、１５２の各フランジ１４２ｃ、１５２ｃは、止め具１６０によりその回動片１６１の回動でもって、底壁９１ａに固定される。これにより、主制御ユニット１４０及び音・ランプ制御ユニット１５０は、移動不能に制御ボックス９０に取り付けられる。
【０１６３】
このような取り付けにより、両シールド板１４１、１５１は、その各フランジ１４１ｂ、１５１ｂにて、導通板１７０上に係合して、当該導通板１７０を介し電気的に接続され得る。従って、本４実施形態でも、上記第１実施形態にて述べたような配線Ｌｓの採用が不要となる。
【０１６４】
また、パチンコ球の貯留タンク３０への貯留過程で発生する電磁ノイズは、シールド板１５１に侵入するが、この電磁ノイズは、シールド板１５１に流入するとともに、導通板１７０を通りシールド板１４１にも流入する。このように当該電磁ノイズは、上記第２実施形態にて述べた両シールド板１０１Ａ、１１１Ａに分流して流れると同様に、両シールド板１５１、１４１に分流して流入する。これにより、本第４実施形態においては、上記第２実施形態と同様の作用効果を達成できる。
【０１６５】
なお、以上のような作用効果は、上記第１実施形態にて述べたように配線板７２が大地にアースされていなくても、同様に達成できる。
【０１６６】
また、本発明の実施にあたり、上記第４実施形態とは異なり、導通板１７０は両ボックス１４２、１５２の直下にてボックス９１の底壁９１ａに水平状に装着するようにしてもよい。これに伴い、シールド板１４１は、そのフランジ１４１ｂにて、板本体１４１ａの下端部からボックス１４２を通り導通板１７０の板厚だけその表面側へかつ下方へ断面クランク状に延出し、シールド板１５１は、そのフランジ１５１ｂにて、板本体１５１ａの下端部からボックス１５２を通り導通板１７０の板厚だけその表面側へかつ下方へ断面クランク状に延出するように構成する。
【０１６７】
また、本発明の実施にあたり、裏セット構造体Ｕの各制御ユニットにおいても上記第４実施形態にて述べた導電部材１７０及び制御ユニットの構成を適用してもよい。
（第５実施形態）
図１４は、本発明の第５実施形態の要部を示している。この第５実施形態では、上記第１実施形態において、貯留タンク３０が、払い出し制御ユニット５０ｂに代えて、配線Ｌｓを介し主制御ユニット１００のシールド板１０１に電気的に接続される構成となっている。
【０１６８】
貯留タンク３０は、導電性樹脂材料で形成されており、この貯留タンク３０は、貯留タンク用負側電源線Ｌ７及び主制御ユニット用負側電源線Ｌ３の一部を介し電源ユニット７０の配線板７２のアース線部に接続されている。なお、負側電源線Ｌ７は、その一端にて、負側電源線Ｌ３の中間部位に接続され、その他端にて貯留タンク３０の一部（図１４にて符号ｃ参照）に接続されている。その他の構成は、上記第１実施形態と同様である。
【０１６９】
このように構成した本第５実施形態において、第２実施形態にて述べたと同様に島設備から貯留タンク３０へのパチンコ球の貯留過程において電磁ノイズが発生すると、この電磁ノイズは、その発生位置に最も近い位置にある導電性樹脂材料からなる貯留タンク３０の周壁や底壁に主として侵入する。
【０１７０】
このように侵入する電磁ノイズは、貯留タンク３０の周壁や底壁に流入するとともに、配線Ｌｓを介し主制御ユニット１００のシールド板１０１にも流入する。換言すれば、当該電磁ノイズは、貯留タンク３０及びシールド板１０１の双方に分流して流入する。
【０１７１】
しかして、貯留タンク３０に侵入する電磁ノイズのうちシールド板１０１を流れるノイズ分は、上記第１実施形態と同様に負側電源線Ｌ３の中間部位ａから配線板１０３のアース線部を通り主制御回路１０４にそのアース端子１０４ａから流入しようとする。
【０１７２】
しかし、負側電源線Ｌ３の中間部位ａに流入するノイズ分は、上述のように電磁ノイズが貯留タンク３０及びシールド板１０１に分流されていること及び配線Ｌｓは低インピーダンスであることから当該ノイズ分のピークレベルは、シールド板１０１のみに流入する電磁ノイズのピークレベルよりも大幅に低減される。従って、このように低減されたノイズ分が上述のように主制御回路１０４に流入しても、主制御回路１０４は、当該ノイズ分の影響を受けて誤動作することなく正常に作動し得る。
【０１７３】
なお、貯留タンク３０のノイズ分は、配線板７２のアース線部を通り大地に流れるのが原則であるが、上記第１実施形態にて述べたように配線板７２が大地にアースされていなくても、貯留タンク３０のノイズ分のうち周波数成分が交流電源ＥＳの負側端子から大地に流れることで、上述のような本第５実施形態にて述べた作用効果を達成できる。
【０１７４】
また、本発明の実施にあたり、図１にて二点鎖線にて示すごとく、誘導樋４０ａが、その外壁にて、導電部４１を有し、案内経路４０ｂが、その中間部位にて、導電部４２を有するように構成して、例えば、当該導電部４１或いは４２を、図１４にて、貯留タンク３０に代えて負側電源線Ｌ７と配線Ｌｓとの間に電気的に接続するようにしても、当該導電部４１或いは４２が、導電性貯留タンク３０と同様の役割を果たすことで、上記第５実施形態と実質的に同様の作用効果を達成できる。なお、導電部４１及び４２は、例えば、誘導樋４０ａ及び案内経路４０ｂの各外壁に貼着した各板状集電部材で構成される。
（第６実施形態）
図１５及び図１６は、本発明の第６実施形態の要部を示している。この第６実施形態では、上記第１実施形態において、両シールド板５１、６１（図４参照）及び配線Ｌｓ（図７参照）に代えて、これらシールド板５１、６１と同様の形成材料からなる共通シールド板Ｓを採用した構成となっている。
【０１７５】
当該共通シールド板Ｓは、払い出し制御ユニット５０ｂ及び発射制御ユニット６０ａに共通なシールド板としての役割を果たすように、セット板２０の凹所２１内に両シールド板５１、６１に代えて収容されている。これに伴い、上記第１実施形態にて述べたボックス５２は、その底壁にて、共通シールド板Ｓの右側部及びセット板２０のうち凹所２１の右側近傍部上に位置している。一方、上記第１実施形態にて述べたボックス６２は、その底壁にて、共通シールド板Ｓの左側部及びセット板２０のうち凹所１２の左側近傍部上に位置している。
【０１７６】
また、発射制御ユニット６０ａは、上記第１実施形態にて述べた主制御ユニット１００に代えて、電源ユニット７０に接続されている（図７及び図１６参照）。即ち、発射制御ユニット６０ａにおいて、発射制御回路６４は、そのアース端子６４ａにて、配線板６３のアース線部に接続されている。これにより、発射制御回路６４は、該配線板６３にアースされている（図１６にて符号Ｇ３参照）。
【０１７７】
配線板６３は、そのアース線部にて、発射制御ユニット用負側電源線Ｌ８を介し電源ユニット７０の配線板７２のアース線部に接続されており、この配線板６３の電源線部は、発射制御ユニット用正側電源線Ｌ７を介し電源ユニット７０の配線板７２の電源線部に接続されている。これにより、発射制御回路６４は、電源回路７３の直流電圧を、配線板７２、正負両側の電源線Ｌ７、Ｌ８並びに配線板６３を介し印加されて作動する。
【０１７８】
ここで、共通シールド板Ｓは、負側電源線Ｌ８の中間部位（図１６にて符号ｄ参照）に接続されて、発射制御回路６４のアース端子６４ａ、両配線板６３、７２の各アース線部と共に同一の基準電位を維持する。なお、上記第１実施形態にて述べた払い出し制御ユニット用負側電源線Ｌ５は、その一端にて、負側電源線Ｌ８の中間部位に接続されており、この負側電源線Ｌ５の中間部位は、共通シールド板Ｓのうち払い出し制御ユニット５０ｂに対応する部位（シールド板５１に対応する部位）に接続されている（図１６にて符号ｂ参照）。その他の構成は上記第１実施形態と同様である。
【０１７９】
このように構成した本第６実施形態において、払い出し制御ユニット５０ｂは、発射制御ユニット６０ａよりも、案内経路４０ｂの下流部により一層近く位置する。このため、上記第１実施形態にて述べたように案内経路４０ｂによるパチンコ球の案内過程で発生する電磁ノイズのうち案内経路４０ｂの下流部で発生する電磁ノイズは、主として、共通シールド板Ｓのうち払い出し制御ユニット５０ｂに対応する部位に侵入する。
【０１８０】
このように侵入する電磁ノイズは、共通シールド板Ｓは一枚のシールド板で形成されているため、当該共通シールド板Ｓのうち、払い出し制御ユニット５０ｂに対応する部位だけでなく発射制御ユニット６０ａに対応する部位にも流入する。このことは、共通シールド板Ｓのうち払い出し制御ユニット５０ｂに対応する部位に侵入する電磁ノイズは、当該部位及び共通シールド板Ｓのうち発射制御ユニット６０ａに対応する部位にも分流して流入することを意味する。
【０１８１】
これにより、払い出し制御回路５４に流入しようとするノイズ分のピークレベルが、上記第１実施形態にて述べた主制御回路１０４へ流入しようとするノイズ分と同様に大幅に低減され、かつ、発射制御回路６４に流入しようとするノイズ分のピークレベルが、上記第１実施形態にて述べた払い出し制御回路５４に流入しようとするノイズ分と同様に大幅に低減される。その結果、このように低減される各ノイズ分が払い出し制御回路５４及び発射制御回路６４に流入しても、これら払い出し制御回路５４及び発射制御回路６４は、当該各ノイズ分に影響されることなく、正常に動作し得る。その他の作用効果は上記第１実施形態と同様である。
（第７実施形態）
図１７は、本発明の第７実施形態の要部を示している。この第７実施形態では、上記第６実施形態にて述べたセット板２０が、共通シールド板Ｓとしての役割を兼用している。このため、セット板２０は、導電性樹脂材料で形成され、セット板２０の凹所２１及び共通シールド板Ｓが廃止されている。なお、払い出し制御ユニット５０ｂ及び発射制御ユニット６０ａの各ボックスは、セット板２０の背面に制御ボックス９０の下側にて上記第６実施形態と実質的に同様に取り付けられている。
【０１８２】
また、上記第６実施形態にて述べた負側電源線Ｌ５（図１６参照）は、その中間部位ｂにて、セット板２０の一部位に電気的に接続され、負側電源線Ｌ８（図１６参照）は、その中間部位ｄにて、セット板２０の他の部位に電気的に接続されている。その他の構成は上記第６実施形態と同様である。
【０１８３】
このように構成した本第７実施形態では、上述のように、導電性樹脂材料からなるセット板２０が、共通シールド板Ｓの役割をも果たしているので、これにより、共通シールド板Ｓを廃止しつつ、上記第６実施形態と同様の作用効果を実質的に達成できる。
（第８実施形態）
図１８は、本発明の第８実施形態の要部を示している。この第８実施形態では、上記第１実施形態において、ローパスフィルタＦ１が、主制御ユニット１００に付加的に採用され、ローパスフィルタＦ２が、払い出し制御ユニット５０ｂに付加的に採用された構成となっている。
【０１８４】
両ローパスフィルタＦ１、Ｆ２は、共に、電磁コイルを主とする構成となっている。ローパスフィルタＦ１は、負側電源線Ｌ３のうち中間部位ａと主制御回路１０４のアース端子１０４ａとの間の電源線部分に直列に挿入接続されており、このローパスフィルタＦ１は、その中間部位ａ側の端子にて、配線板１０３にアースされている（図１８にて符号Ｇ４参照）。一方、ローパスフィルタＦ２は、負側電源線Ｌ５のうち中間部位ｂと払い出し制御回路５４のアース端子５４ａとの間の電源線部分に直列に挿入接続されており、このローパスフィルタＦ２は、その中間部位ｂ側の端子にて、配線板５３にアースされている（図１８にて符号Ｇ５参照）。
【０１８５】
ローパスフィルタＦ１は、負側電源線Ｌ３の中間部位ａから主制御回路１０４にそのアース端子１０４ａから侵入する電磁ノイズを阻止する役割を果たし、また、ローパスフィルタＦ２は、負側電源線Ｌ５の中間部位ｂから払い出し御回路５４にそのアース端子５４ａから侵入する電磁ノイズを阻止する役割を果たす。なお、各ローパスフィルタＦ１、Ｆ２のインピーダンスは、これら各ローパスフィルタに入力する電磁ノイズの周波数が高くなるにつれて高くなるように選定されている。その他の構成は上記第１実施形態と同様である。
【０１８６】
このように構成した本第８実施形態では、配線Ｌｓの採用にもかかわらず、上記第１実施形態にて述べたように分流に伴いシールド板１０１に流入するノイズ分が負側電源線Ｌ３の中間部位ａから主制御回路１０４側へ流入しようとし、また、上記第１実施形態にて述べたように分流に伴いシールド板５１に流入するノイズ分が負側電源線Ｌ５の中間部位ｂから払い出し制御回路５４側へ流入しようとすることがあっても、上記各ノイズ分は、上述のようにシールド板１０１に侵入する電磁ノイズのピークレベルに比べて大幅に低減されている。このため、これら各ノイズ分の主制御回路１０４及び払い出し制御回路５４への流入は、各対応のローパスフィルタＦ１、Ｆ２により確実に阻止され得る。その結果、上記第１実施形態にて述べた作用効果をより一層向上できる。
（第９実施形態）
図１９は、本発明の第９実施形態の要部を示している。この第９実施形態では、上記第８実施形態にて述べた主制御ユニット１００において、負側電源線Ｌ３のうちその中間部位ａとローパスフィルタＦ１の中間部位ａ側端子との間の電源線部分が、図１９にて示すようなアース板１０５で構成されている。
【０１８７】
このアース板１０５は、配線板１０３の図１９にて図示左方下側隅角部にねじ１０５ａにより締着されており、当該アース板１０５は、配線板１０３のアース線部と電気的に接続されている。
【０１８８】
また、本第９実施形態では、両コネクタ１０６、１０７が採用されている。コネクタ１０６は、配線板１０３の左端中央部に配設されており、このコネクタ１０６により、負側電源線Ｌ３の中間部位ａはアース板１０５の一部１０５ｂと電気的に接続されている。また、コネクタ１０７は、アース板１０５の中央部を介し配線板１０３に設けられており、このコネクタ１０７により、配線Ｌｓは、その一端にて、アース板１０５の中央部に電気的に接続されている。なお、配線Ｌｓの他端に設けたターミナルｔにより、払い出し制御ユニット５０ｂのシールド板５１の端部に切り欠き形成した係合部５１ａに電気的に接続されている。その他の構成は上記第８実施形態と同様である。
【０１８９】
このように構成した本第９実施形態によれば、アース板１０５、両コネクタ１０６、１０７及びターミナルｔの採用でもって、負側電源線Ｌ３とローパスフィルタＦ１との接続や配線Ｌｓの両シールド板１０１、５１間の接続を簡単に行いつつ、上記第８実施形態と同様の作用効果を達成できる。
【０１９０】
なお、本発明の実施にあたり、環状枠体Ｗにおいては、上記各実施形態とは異なり、内枠Ｗ２にセット板２０を止め具により着脱可能に固定することで連結するようにしてもよく、内枠Ｗ２に対しその背面側から着脱可能に或いは一体に設けた支持枠に遊技盤本体８０を支持するように構成するとともに当該支持枠にセット板２０をヒンジ連結するようにしてもよい。
【０１９１】
また、本発明の実施にあたり、遊技盤Ｐにおいては、上記各実施形態とは異なり、遊技盤本体８０をセット板２０の開口部２８にその背面側から着脱可能に設けるようにしてもよい。
【０１９２】
また、本発明の実施にあたり、上記第１実施形態にて述べたセット板２０の凹所２１或いはボックス９１の凹所９１ｂを廃止して、シールド板５１、６１をセット板２０の平面状背面に固定し或いはシールド板１０１、１１１をボックス９１の底壁９１ａの平面状背面に固定するようにしてもよい。この場合、ボックス５２の上側フランジを支持できるように、左右両Ｌ字状支持部材２３ａ、２３ｂの厚み及び留め具２４の裏面とセット板２０の背面との間隔をシールド板５１の板厚分だけ増大させればよい。このようなことは、ボックス６２、１０２、１１２の各上側フランジに対しても実質的に同様であり、上記第２実施形態、第３実施形態や第６実施形態でも実質的に同様である。
【０１９３】
また、本発明の実施にあたり、上記各実施形態にて述べたシールド板は器状或いは箱状であってもよい。換言すれば、シールド板に代えて、板状、器状或いは箱状の導電性シールド部材を採用してもよい。ここで、例えば、上記主制御ユニットのシールド部材が器状或いは箱状である場合には、当該主制御ユニットの配線板は当該主制御ユニットのシールド部材内にてその底壁に併設され、また、当該主制御ユニットの主制御回路は、当該主制御ユニットのシールド部材内にてその配線板に設けられている。なお、このような構成は、払い出し制御ユニット、発射制御ユニットや音・ランプ制御ユニットのシールド部材が器状或いは箱状である場合でも実質的に同様である。
【０１９４】
また、本発明の実施にあたり、上記各ボックス５２、６２、１０２、１１２に代えて、その各底壁５２ａ、６２ａ、１０２ａ、１１２ａに相当する電気絶縁性の各壁部材を採用してもよい。
【０１９５】
また、本発明の実施にあたり、電源ユニット７０の配線板７２の大地へのアースに代えて、各シールド板或いはトランスＴの二次側コイルＴ２の負側端子を大地にアースしてもよい。
【０１９６】
また、本発明の実施にあたり、上記各実施形態において、電磁ノイズが侵入する側のシールド板としてダミーの導電性シールド板を採用しても、上記各実施形態と同様の作用効果を達成できる。
【０１９７】
また、本発明の実施にあたり、遊技者が電磁ノイズ発生源を用いて不正な電磁ノイズで上記主制御ユニットを誤動作させようとしても、当該不正な電磁ノイズに対するシールド効果を上記各実施形態と同様に確保できる。
【０１９８】
また、本発明の実施にあたり、パチンコ球は、金属製に限ることなく、導電樹脂製であってもよく、一般には、帯電可能な遊技球であればよい。
【０１９９】
また、本発明の実施にあたり、パチンコ機に限ることなく、帯電可能な遊技球や金属製コイン等の帯電可能な遊技媒体で遊技するスロットマシンやアレンジボール機に本発明を適用して実施してもよい。
【図面の簡単な説明】
【図１】本発明に係るパチンコ機の第１実施形態を裏セット構造体の背面から見た状態を示す概略構成図である。
【図２】上記パチンコ機の側面図である。
【図３】図１の裏セット構造体の部分破断拡大図である。
【図４】図３にて４−４線に沿う要部断面図である。
【図５】図１の制御ボックスの背面側から見た主制御ユニット及び音・ランプ制御ユニットの部分破断拡大図である。
【図６】図５にて６−６線に沿う要部断面図である。
【図７】上記第１実施形態における主制御ユニット及び払い出し制御ユニットのための電気回路系統図である。
【図８】本発明の第２実施形態の要部を示す背面図である。
【図９】図８にて９−９線に沿う要部断面図である。
【図１０】本発明の第３実施形態の要部を示す背面図である。
【図１１】図１０にて１１−１１線に沿う要部断面図である。
【図１２】本発明の第４実施形態の要部を示す部分破断背面図である。
【図１３】図１２にて１３−１３線に沿う部分破断断面図である。
【図１４】本発明の第５実施形態の要部を示す電気回路系統図である。
【図１５】本発明の第６実施形態の要部を示す部分破断背面図である。
【図１６】上記第６実施形態における電気回路系統の配線図である。
【図１７】本発明の第７実施形態の要部を示す部分破断背面図である。
【図１８】本発明の第８実施形態の要部を示す電気回路系統図である。
【図１９】本発明の第９実施形態の要部を示す電気回路系統図である。
【符号の説明】
Ｂ…遊技機本体、Ｄｕ…上皿、ＥＳ…商用電源、Ｌｓ…配線、
Ｌ３、Ｌ５、Ｌ８…負側電源線、Ｐ…遊技盤、Ｔ…変圧器、Ｕ…裏セット構造体、
Ｗ…環状枠体、２０…セット板、２１、９１ｂ…凹所、３０…貯留タンク、
４０ａ…誘導樋、４０ｂ…案内経路、４１、４２…導電部、
５０ｂ…払い出し制御ユニット、
５１、６１、１０１、１０１Ａ、１０１Ｂ、１１１、１１１Ａ、１１１Ｂ、１４１、１５１…シールド板、
５２、６２、９１、１０２、１１２、１４２、１５２…ボックス、
５３、６３、７２、１０３、１１３…配線板、５４…払い出し制御回路、
６０ａ…発射制御ユニット、６４…発射制御回路、７０…電源ユニット、
７３…電源回路、８０…遊技盤本体、９０…制御ボックス、９１ａ…背面、
１００、１００Ａ、１００Ｂ、１４０…主制御ユニット、１０２ａ、１１２ａ、１４２ａ、１５２ａ…底壁、１０４…主制御回路、
１１０、１１０Ａ、１１０Ｂ、１５０…音・ランプ制御ユニット、
１１４…音・ランプ制御回路、１４１ｂ、１５１ｂ…端部、
１７０…長手状導電部材。
【図１】
2004041316.tif 000003
【図２】
2004041316.tif 000004
【図３】
2004041316.tif 000005
【図４】
2004041316.tif 000006
【図５】
2004041316.tif 000007
【図６】
2004041316.tif 000008
【図７】
2004041316.tif 000009
【図８】
2004041316.tif 000010
【図９】
2004041316.tif 000011
【図１０】
2004041316.tif 000012
【図１１】
2004041316.tif 000013
【図１２】
2004041316.tif 000014
【図１３】
2004041316.tif 000015
【図１４】
2004041316.tif 000016
【図１５】
2004041316.tif 000017
【図１６】
2004041316.tif 000018
【図１７】
2004041316.tif 000019
【図１８】
2004041316.tif 000020
【図１９】
2004041316.tif 000021